(57)【要約】【課題】出力される鳴動音によって使用者に与える耳障り感を低減することができるコードレス通信システムおよびコードレス通信システムの第２通信装置を提供すること。【解決手段】デジタルコードレス電話システム１によれば、鳴動タイミングテーブルメモリ１２ａからテーブルナンバー「１」またはテーブルナンバー「２」の鳴動タイミングテーブルが選択されると、ＭＦＰ１０、子機５１および子機７１から出力される鳴動音を重ねることなく単独音に設定することができる。よって、デジタルコードレス電話システム１の使用者が、ＭＦＰ１０の鳴動音のみならず、子機５１および子機７１の鳴動音が聞こえる位置に居る場合であっても、各鳴動音による合成音が形成されることがないので、使用者に対して耳障り感を与えることなく、鳴動音を出力することができる。【選択図】図２
2010016421.tif 000002
【特許請求の範囲】
【請求項１】
外部からの呼出を検出する検出手段を有すると共に、無線通信を行う第１無線通信手段を有する第１通信装置と、前記第１無線通信手段と無線通信を行う第２無線通信手段を有する第２通信装置とを備えるコードレス通信システムにおいて、
前記第１通信装置は、
前記検出手段により呼出が検出されると、前記第１無線通信手段を制御して第２無線通信手段へ鳴動信号を送信する送信制御手段と、
前記検出手段により呼出が検出されると、第１鳴動音を繰り返し出力する第１鳴動音出力手段とを備え、
前記第２通信装置は、
前記第１無線通信手段により送信された鳴動信号が第２無線通信手段に受信されることに基づいて、第２鳴動音を繰り返し出力する第２鳴動音出力手段を備え、
前記第１鳴動音出力手段により繰り返し出力される第１鳴動音と第２鳴動音出力手段により繰り返し出力される第２鳴動音とが各々単独で出力される期間が発生するようにそれぞれの出力期間を制御する制御手段を備えることを特徴とするコードレス通信システム。
【請求項２】
外部からの呼出を検出する検出手段を備えると共に、無線通信を行う第１無線通信手段を有する第１通信装置と、前記第１無線通信手段と無線通信を行う第２無線通信手段を有する第２通信装置とを備えるコードレス通信システムにおいて、
前記第１通信装置は、
前記検出手段により呼出が検出されると、前記第１無線通信手段を制御して第２無線通信手段へ鳴動信号を送信する送信制御手段と、
前記検出手段により呼出が検出されると、第１鳴動音を繰り返し出力する第１鳴動音出力手段とを備え、
前記第２通信装置は、
前記第１無線通信手段により送信された鳴動信号が第２無線通信手段に受信されることに基づいて、第２鳴動音を繰り返し出力する第２鳴動音出力手段を備え、
第２無線通信手段が複数存在する場合、その複数の第２通信装置に設けられた各第２鳴動音出力手段により繰り返し出力される各第２鳴動音が各々単独で出力される期間が発生するようにそれぞれの出力期間を制御する制御手段を備えることを特徴とするコードレス通信システム。
【請求項３】
前記制御手段は、前記第１鳴動音出力手段により繰り返し出力される第１鳴動音と第２鳴動音出力手段により繰り返し出力される第２鳴動音とが互いに重複しない単独音として出力されるようにそれぞれの出力期間を制御するものであることを特徴とする請求項１または２に記載のコードレス通信システム。
【請求項４】
前記第１鳴動音出力手段、および第２鳴動音出力手段により出力される鳴動音を楽曲に設定する楽曲設定手段と、
その楽曲設定手段により設定される１の楽曲を小節単位で複数に分割し、複数の分割楽曲データとして記憶する分割楽曲記憶手段とを備え、
前記制御手段は、前記楽曲設定手段により設定された楽曲を、前記第１鳴動音出力手段、および第２鳴動出力手段に前記分割楽曲記憶手段に記憶された分割楽曲データ単位で順次出力させる分割楽曲実行手段として機能し、
その分割楽曲実行手段は、前記第１鳴動音出力手段と前記第２鳴動音出力手段とが同一の分割楽曲データに基づく小節を出力するように制御すると共に、第１鳴動出力手段による小節の出力後に第２鳴動出力手段が、若しくは第２鳴動出力手段による小節の出力後に第１鳴動出力手段が、続けて前記小節を出力するようにそれぞれの出力期間を制御するものであることを特徴とする請求項３記載のコードレス通信システム。
【請求項５】
前記第１鳴動音出力手段、および第２鳴動音出力手段により出力される鳴動音を楽曲に設定する楽曲設定手段と、
その楽曲設定手段により設定される１の楽曲を小節単位で複数に分割し、複数の分割楽曲データとして記憶する分割楽曲記憶手段とを備え、
前記制御手段は、前記楽曲設定手段により設定された楽曲を、前記第１鳴動音出力手段、および第２鳴動出力手段に前記分割楽曲記憶手段に記憶された分割楽曲データ単位で順次出力させる分割楽曲実行手段として機能し、
その分割楽曲実行手段は、前記楽曲設定手段により設定された楽曲が一連のメロディとして形成されるように、第１鳴動音出力手段に出力させる小節となる分割楽曲データ、および第２鳴動音出力手段に出力させる小節となる分割楽曲データを決定すると共に、それぞれの出力期間を制御するものであることを特徴とする請求項３記載のコードレス通信システム。
【請求項６】
前記第１通信装置は、
前記第２通信装置に対して、鳴動信号が出力される度にその出力回数を更新すると共に記憶する更新記憶手段と、
前記各分割楽曲データと前記出力回数に応じた情報とを対応付けて記憶する第１分割楽曲記憶手段とを備え、
前記送信制御手段は、前記鳴動信号に関連付けて、前記更新記憶手段に記憶される出力回数が更新される度にその更新記憶手段に記憶された出力回数を示す出力回数情報を前記第２無線通信手段へ送信するものであり、
前記第２通信装置は、
前記各分割楽曲データと前記出力回数に応じた情報とを対応付けて記憶する第２分割楽曲記憶手段とを備え、
前記分割楽曲実行手段は、
前記第１通信装置に備えられ、前記更新記憶手段に記憶される出力回数に基づいて、前記第１分割楽曲記憶手段に記憶された分割楽曲データのうち、出力すべき小節となる分割楽曲データを選択し、前記第１鳴動出力手段に出力させる第１分割楽曲実行手段と、
前記第２通信装置に備えられ、前記送信制御手段から送信される前記出力回数情報に基づいて、前記第２分割楽曲記憶手段に記憶された分割楽曲データのうち、出力すべき小節となる分割楽曲データを選択し、前記第２鳴動出力手段に出力させる第２分割楽曲実行手段とから構成されることを特徴とする請求項４または５に記載のコードレス通信システム。
【請求項７】
外部からの呼出を検出する検出手段を有すると共に、無線通信が可能な第１無線通信手段を有する第１通信装置との無線通信を行う第２無線通信手段を有するコードレス通信システムの第２通信装置において、
前記第２通信装置は、少なくとも２以上設けられており、
その各第２通信装置は、前記検出手段により呼出が検出されたときに、前記第１無線通信手段から送信される鳴動信号が、前記第２無線通信手段に受信された場合に第２鳴動音を出力する第２鳴動音出力手段と、
その第２鳴動音出力手段による第２鳴動音の出力期間を制御する子機側制御手段とを備え、
前記各第２通信装置に備えられる各子機側制御手段は、前記各第２鳴動音出力手段により出力される各第２鳴動音が各々単独で出力される期間が発生するようにそれぞれの出力期間を制御するものであることを特徴とするコードレス通信システムの第２通信装置。
【請求項８】
前記第１通信装置は、
前記検出手段による呼出の検出からの経過時間を計時する第１計時手段と、
その第１計時手段による経過時間に関連付けて、前記第１鳴動音が出力される出力状態と第１鳴動音が出力停止される停止状態とのいずれかに前記第１鳴動音出力手段の状態を切り換えるための第１切換パターン情報を設定する第１切換パターン設定手段とを備え、
前記第２通信装置は、
前記送信制御手段から送信される鳴動信号の受信からの経過時間を計時する第２計時手段と、
その第２計時手段による経過時間に関連付けて、前記第２鳴動音が出力される出力状態と第２鳴動音が出力停止される停止状態とのいずれかに前記第２鳴動音出力手段の状態を切り換えるための第２切換パターン情報を設定する第２切換パターン設定手段とを備え、
前記制御手段は、
第１通信装置に備えられ、前記第１切換パターン設定手段により設定された第１切換パターン情報と前記第１計時手段による経過時間とによって、前記第１鳴動音出力手段の状態の切り換えを繰り返し実行する第１切換実行手段と、
第２通信装置に備えられ、前記第２切換パターン設定手段により設定された第２切換パターン情報と前記第２計時手段による経過時間とによって、前記第２鳴動音出力手段の状態の切り換えを繰り返し実行する第２切換実行手段とから構成されており、
前記第１切換パターン設定手段により設定される第１切換パターン情報、および第２切換パターン設定手段により設定される第２切換パターン情報は、前記第１切換実行手段により切り換えられる第１鳴動音出力手段の状態と前記第２切換実行手段により切り換えられる第２鳴動音出力手段の状態とを各々単独で出力状態に切り換える期間が設けられて構成されていることを特徴とする請求項１記載のコードレス通信システム。
【請求項９】
前記第２通信装置は、少なくとも２以上設けられており、
その各第２通信装置に設けられる各第２切換パターン設定手段により設定される第２切換パターン情報のそれぞれは、前記各第２通信装置に設けられる各第２切換実行手段によって切り換えられる各第２鳴動音出力手段の状態を各々単独で出力状態に切り換える期間が設けられて構成されていることを特徴とする請求項８記載のコードレス通信システム。
【請求項１０】
前記第１通信装置は、
前記検出手段による呼出の検出からの経過時間を計時する第１計時手段と、
前記第１計時手段による経過時間に関連付けて、前記第１鳴動音が出力される出力状態と第１鳴動音が出力停止される停止状態とのいずれかに前記第１鳴動音出力手段の状態を切り換えるための第１切換パターン情報を設定する第１切換パターン設定手段と、
前記第１計時手段による経過時間に関連付けて、前記第２鳴動音が出力される出力状態と第２鳴動音が出力停止される停止状態とのいずれかに前記第２鳴動音出力手段の状態を切り換えるための第２切換パターン情報を設定する第２切換パターン設定手段とを備え、
前記送信制御手段は、前記第２切換パターン設定手段により設定された第２切換パターンに基づいて、前記第２鳴動音出力手段の状態を出力状態または停止状態のいずれかに切り換える切換信号を第１無線通信手段に送信させるものであり、
前記制御手段は、
第１通信装置に備えられ、前記第１切換パターン設定手段により設定された第１切換パターン情報と前記第１計時手段による経過時間とによって、前記第１鳴動音出力手段の状態の切り換えを繰り返し実行する第１切換実行手段と、
第２通信装置に備えられ、前記第２無線通信手段により前記切換信号が受信されるとその受信された切換信号に応じて、前記第２鳴動音出力手段の状態の切り換えを実行する第２切換実行手段とから構成され、
前記第１切換パターン設定手段により設定される第１切換パターン情報および第２切換パターン設定手段により設定される第２切換パターン情報は、第１切換実行手段により切り換えられる第１鳴動音出力手段の状態と第２切換実行手段により切り換えられる第２鳴動音出力手段の状態とを各々単独で出力状態に切り換える期間が設けられて構成されていることを特徴とする請求項１記載のコードレス通信システム。
【請求項１１】
前記第２通信装置は、少なくとも２以上設けられており、
前記第２切換パターン設定手段は、その各第２通信装置に対応して前記第２切換パターン情報を設定するものであり、
前記送信制御手段は、前記第２切換パターン設定手段により設定された、前記各第２通信装置に対応する第２切換パターン情報に基づいて、前記第２鳴動音出力手段の状態を出力状態または停止状態のいずれかに切り換える切換信号を第１無線通信手段に送信させる際に、前記状態を切り換えるべき第２鳴動音出力手段が備えられた第２通信装置を特定する識別情報を前記第２無線通信手段のそれぞれへ送信するものであり、
前記各第２通信装置に設けられた各第２無線通信手段は、受信した前記識別情報が前記第２通信装置毎に個別に予め設定されている識別情報と一致する場合に、前記切換信号を認証する認証手段をそれぞれ備え、
前記各第２通信装置に設けられた各第２切換実行手段は、その各認証手段により前記切換信号が認証された場合にその認証された切換信号に応じて、前記各第２鳴動音出力手段を出力状態または停止状態のいずれかに切り換えるものであり、
前記各第２切換パターン設定手段により設定される各第２切換パターン情報は、前記各第２切換実行手段により切り換えられる各第２鳴動音出力手段の状態を各々単独で出力状態に切り換える期間が設けられて構成されていることを特徴とする請求項１０記載のコードレス通信システム。
【発明の詳細な説明】
【技術分野】
【０００１】
本発明は、コードレス通信システムおよびコードレス通信システムの第２通信装置に関するものである。
【背景技術】
【０００２】
電話回線を介して相手電話機からの呼出信号を親機が検出した場合に、親機と子機との鳴動音の出力を同時に行うコードレス通信システムに関しては、例えば、特許文献１記載のコードレス電話機が知られている。このコードレス電話機では、相手電話機からの呼出信号が親機により検出されると、親機は、相手電話機からの呼出信号が真正なものであるか否かを判定するための着信確認動作に入ると同時に、子機との間で送受信動作を行うための送信セット動作に入る。そして、着信確認動作により、相手電話機の呼出信号が真正なものであると確認されると、親機は、鳴動動作を行うと共に、子機へ接続要求信号を送信する。子機は、この接続要求信号を受信すると、鳴動動作を開始する。よって、相手電話機からの着信信号が検出された場合に、親機の鳴動動作の開始時間と子機の鳴動動作の開始時間とのズレを極力抑制することができる。従って、特許文献１記載のコードレス電話機によれば、親機の鳴動動作と子機の鳴動動作とを略同時に開始することができる。
【特許文献１】特開２０００−３２５４７号公報
【発明の開示】
【発明が解決しようとする課題】
【０００３】
しかしながら、上記のコードレス電話機では、相手電話機からの呼出信号を親機が検出すると、親機および子機の鳴動動作の開始が略同時に行われてしまう。よって、コードレス電話機の使用者が、親機の鳴動音のみならず、子機の鳴動音が聞こえる位置に居る場合には、略同時に出力開始される各鳴動音の合成音の音量が大きくなりすぎて、使用者に対して耳障り感を与えてしまうという問題点があった。また、上記のコードレス電話機が、複数の子機を有している場合には、相手電話機からの呼出信号を親機が検出した場合に、その複数の子機が略同時に鳴動動作を開始してしまう。よって、コードレス電話機の使用者が、複数の子機の鳴動音が聞こえる位置に居る場合には、その使用者には、略同時に出力開始される子機の各鳴動音の合成音が聞こえることになる。この場合にも、その使用者に対して耳障り感を与えることになる。さらに、本来設置されるべき場所（例えば、充電台等）に子機が置いてある場合には、その場所で使用者は子機を操作することで、子機による通話が可能となる。これに対し、子機が充電台から外された状態で放置されていることが多いケースでは、複数の子機の各鳴動音が略同時に出力開始されると、コードレス電話機の使用者は、各子機の各鳴動音の合成音に邪魔されて、自分の使用したい子機が現在どこで鳴動しているか把握できず、子機が置かれている場所を特定し難いという問題点もあった。
【０００４】
本発明は、上述した問題点を解決するためになされたものであり、出力される鳴動音によって使用者に与える耳障り感を低減することができるコードレス通信システムおよびコードレス通信システムの第２通信装置を提供することを目的としている。
【課題を解決するための手段】
【０００５】
この目的を達成するために請求項１記載のコードレス通信システムは、外部からの呼出を検出する検出手段を有すると共に、無線通信を行う第１無線通信手段を有する第１通信装置と、前記第１無線通信手段と無線通信を行う第２無線通信手段を有する第２通信装置とを備えるものであり、前記第１通信装置は、前記検出手段により呼出が検出されると、前記第１無線通信手段を制御して第２無線通信手段へ鳴動信号を送信する送信制御手段と、前記検出手段により呼出が検出されると、第１鳴動音を繰り返し出力する第１鳴動音出力手段とを備え、前記第２通信装置は、前記第１無線通信手段により送信された鳴動信号が第２無線通信手段に受信されることに基づいて、第２鳴動音を繰り返し出力する第２鳴動音出力手段を備え、前記第１鳴動音出力手段により繰り返し出力される第１鳴動音と第２鳴動音出力手段により繰り返し出力される第２鳴動音とが各々単独で出力される期間が発生するようにそれぞれの出力期間を制御する制御手段を備える。なお、制御手段は、第１通信装置が備えていても、第２通信装置が備えていても良い。或いは、制御手段は、第１通信装置および第２通信装置が備えていても良い。
【０００６】
請求項２記載のコードレス通信システムは、外部からの呼出を検出する検出手段を備えると共に、無線通信を行う第１無線通信手段を有する第１通信装置と、前記第１無線通信手段と無線通信を行う第２無線通信手段を有する第２通信装置とを備えるものであり、前記第１通信装置は、前記検出手段により呼出が検出されると、前記第１無線通信手段を制御して第２無線通信手段へ鳴動信号を送信する送信制御手段と、前記検出手段により呼出が検出されると、第１鳴動音を繰り返し出力する第１鳴動音出力手段とを備え、前記第２通信装置は、前記第１無線通信手段により送信された鳴動信号が第２無線通信手段に受信されることに基づいて、第２鳴動音を繰り返し出力する第２鳴動音出力手段を備え、第２無線通信手段が複数存在する場合、その複数の第２通信装置に設けられた各第２鳴動音出力手段により繰り返し出力される各第２鳴動音が各々単独で出力される期間が発生するようにそれぞれの出力期間を制御する制御手段を備える。
【０００７】
請求項３記載のコードレス通信システムは、請求項１または２に記載のコードレス通信システムにおいて、前記制御手段は、前記第１鳴動音出力手段により繰り返し出力される第１鳴動音と第２鳴動音出力手段により繰り返し出力される第２鳴動音とが互いに重複しない単独音として出力されるようにそれぞれの出力期間を制御するものである。
【０００８】
請求項４記載のコードレス通信システムは、請求項３記載のコードレス通信システムにおいて、前記第１鳴動音出力手段、および第２鳴動音出力手段により出力される鳴動音を楽曲に設定する楽曲設定手段と、その楽曲設定手段により設定される１の楽曲を小節単位で複数に分割し、複数の分割楽曲データとして記憶する分割楽曲記憶手段とを備え、前記制御手段は、前記楽曲設定手段により設定された楽曲を、前記第１鳴動音出力手段、および第２鳴動出力手段に前記前記分割楽曲記憶手段に記憶された分割楽曲データ単位で順次出力させる分割楽曲実行手段として機能し、その分割楽曲実行手段は、前記第１鳴動音出力手段と前記第２鳴動音出力手段とが同一の分割楽曲データに基づく小節を出力するように制御すると共に、第１鳴動出力手段による小節の出力後に第２鳴動出力手段が、若しくは第２鳴動出力手段による小節の出力後に第１鳴動出力手段が、続けて前記小節を出力するようにそれぞれの出力期間を制御するものである。
【０００９】
請求項５記載のコードレス通信システムは、請求項３記載のコードレス通信システムにおいて、前記第１鳴動音出力手段、および第２鳴動音出力手段により出力される鳴動音を楽曲に設定する楽曲設定手段と、その楽曲設定手段により設定される１の楽曲を小節単位で複数に分割し、複数の分割楽曲データとして記憶する分割楽曲記憶手段とを備え、前記制御手段は、前記楽曲設定手段により設定された楽曲を、前記第１鳴動音出力手段、および第２鳴動出力手段に前記分割楽曲記憶手段に記憶された分割楽曲データ単位で順次出力させる分割楽曲実行手段として機能し、その分割楽曲実行手段は、前記楽曲設定手段により設定された楽曲が一連のメロディとして形成されるように、第１鳴動音出力手段に出力させる小節となる分割楽曲データ、および第２鳴動音出力手段に出力させる小節となる分割楽曲データを決定すると共に、それぞれの出力期間を制御するものである。
【００１０】
請求項６記載のコードレス通信システムは、請求項４または５に記載のコードレス通信システムにおいて、前記第１通信装置は、前記第２通信装置に対して、鳴動信号が出力される度にその出力回数を更新すると共に記憶する更新記憶手段と、前記各分割楽曲データと前記出力回数に応じた情報とを対応付けて記憶する第１分割楽曲記憶手段とを備え、前記送信制御手段は、前記鳴動信号に関連付けて、前記更新記憶手段に記憶される出力回数が更新される度にその更新記憶手段に記憶された出力回数を示す出力回数情報を前記第２無線通信手段へ送信するものであり、前記第２通信装置は、前記各分割楽曲データと前記出力回数に応じた情報とを対応付けて記憶する第２分割楽曲記憶手段とを備え、前記分割楽曲実行手段は、前記第１通信装置に備えられ、前記更新記憶手段に記憶される出力回数に基づいて、前記第１分割楽曲記憶手段に記憶された分割楽曲データのうち、出力すべき小節となる分割楽曲データを選択し、前記第１鳴動出力手段に出力させる第１分割楽曲実行手段と、前記第２通信装置に備えられ、前記送信制御手段から送信される前記出力回数情報に基づいて、前記第２分割楽曲記憶手段に記憶された分割楽曲データのうち、出力すべき小節となる分割楽曲データを選択し、前記第２鳴動出力手段に出力させる第２分割楽曲実行手段とから構成される。
【００１１】
請求項７記載のコードレス通信システムの第２通信装置は、外部からの呼出を検出する検出手段を有すると共に、無線通信が可能な第１無線通信手段を有する第１通信装置との無線通信を行う第２無線通信手段を有するものであり、前記第２通信装置は、少なくとも２以上設けられており、その各第２通信装置は、前記検出手段により呼出が検出されたときに、前記第１無線通信手段から送信される鳴動信号が、前記第２無線通信手段に受信された場合に第２鳴動音を出力する第２鳴動音出力手段と、その第２鳴動音出力手段による第２鳴動音の出力期間を制御する子機側制御手段とを備え、前記各第２通信装置に備えられる各子機側制御手段は、前記各第２鳴動音出力手段により出力される各第２鳴動音が各々単独で出力される期間が発生するようにそれぞれの出力期間を制御するものである。
【００１２】
請求項８記載のコードレス通信システムは、請求項１記載のコードレス通信システムにおいて、前記第１通信装置は、前記検出手段による呼出の検出からの経過時間を計時する第１計時手段と、その第１計時手段による経過時間に関連付けて、前記第１鳴動音が出力される出力状態と第１鳴動音が出力停止される停止状態とのいずれかに前記第１鳴動音出力手段の状態を切り換えるための第１切換パターン情報を設定する第１切換パターン設定手段とを備え、前記第２通信装置は、前記送信制御手段から送信される鳴動信号の受信からの経過時間を計時する第２計時手段と、その第２計時手段による経過時間に関連付けて、前記第２鳴動音が出力される出力状態と第２鳴動音が出力停止される停止状態とのいずれかに前記第２鳴動音出力手段の状態を切り換えるための第２切換パターン情報を設定する第２切換パターン設定手段とを備え、前記制御手段は、第１通信装置に備えられ、前記第１切換パターン設定手段により設定された第１切換パターン情報と前記第１計時手段による経過時間とによって、前記第１鳴動音出力手段の状態の切り換えを繰り返し実行する第１切換実行手段と、第２通信装置に備えられ、前記第２切換パターン設定手段により設定された第２切換パターン情報と前記第２計時手段による経過時間とによって、前記第２鳴動音出力手段の状態の切り換えを繰り返し実行する第２切換実行手段とから構成されており、前記第１切換パターン設定手段により設定される第１切換パターン情報、および第２切換パターン設定手段により設定される第２切換パターン情報は、前記第１切換実行手段により切り換えられる第１鳴動音出力手段の状態と前記第２切換実行手段により切り換えられる第２鳴動音出力手段の状態とを各々単独で出力状態に切り換える期間が設けられて構成されている。
【００１３】
請求項９記載のコードレス通信システムは、請求項８記載のコードレス通信システムにおいて、前記第２通信装置は、少なくとも２以上設けられており、その各第２通信装置に設けられる各第２切換パターン設定手段により設定される第２切換パターン情報のそれぞれは、前記各第２通信装置に設けられる各第２切換実行手段によって切り換えられる各第２鳴動音出力手段の状態を各々単独で出力状態に切り換える期間が設けられて構成されている。
【００１４】
請求項１０記載のコードレス通信システムは、請求項１記載のコードレス通信システムにおいて、前記第１通信装置は、前記検出手段による呼出の検出からの経過時間を計時する第１計時手段と、前記第１計時手段による経過時間に関連付けて、前記第１鳴動音が出力される出力状態と第１鳴動音が出力停止される停止状態とのいずれかに前記第１鳴動音出力手段の状態を切り換えるための第１切換パターン情報を設定する第１切換パターン設定手段と、前記第１計時手段による経過時間に関連付けて、前記第２鳴動音が出力される出力状態と第２鳴動音が出力停止される停止状態とのいずれかに前記第２鳴動音出力手段の状態を切り換えるための第２切換パターン情報を設定する第２切換パターン設定手段とを備え、前記送信制御手段は、前記第２切換パターン設定手段により設定された第２切換パターンに基づいて、前記第２鳴動音出力手段の状態を出力状態または停止状態のいずれかに切り換える切換信号を第１無線通信手段に送信させるものであり、前記制御手段は、第１通信装置に備えられ、前記第１切換パターン設定手段により設定された第１切換パターン情報と前記第１計時手段による経過時間とによって、前記第１鳴動音出力手段の状態の切り換えを繰り返し実行する第１切換実行手段と、第２通信装置に備えられ、前記第２無線通信手段により前記切換信号が受信されるとその受信された切換信号に応じて、前記第２鳴動音出力手段の状態の切り換えを実行する第２切換実行手段とから構成され、前記第１切換パターン設定手段により設定される第１切換パターン情報および第２切換パターン設定手段により設定される第２切換パターン情報は、第１切換実行手段により切り換えられる第１鳴動音出力手段の状態と第２切換実行手段により切り換えられる第２鳴動音出力手段の状態とを各々単独で出力状態に切り換える期間が設けられて構成されている。
【００１５】
請求項１１記載のコードレス通信システムは、請求項１０記載のコードレス通信システムにおいて、前記第２通信装置は、少なくとも２以上設けられており、前記第２切換パターン設定手段は、その各第２通信装置に対応して前記第２切換パターン情報を設定するものであり、前記送信制御手段は、前記第２切換パターン設定手段により設定された、前記各第２通信装置に対応する第２切換パターン情報に基づいて、前記第２鳴動音出力手段の状態を出力状態または停止状態のいずれかに切り換える切換信号を第１無線通信手段に送信させる際に、前記状態を切り換えるべき第２鳴動音出力手段が備えられた第２通信装置を特定する識別情報を前記第２無線通信手段のそれぞれへ送信するものであり、前記各第２通信装置に設けられた各第２無線通信手段は、受信した前記識別情報が前記第２通信装置毎に個別に予め設定されている識別情報と一致する場合に、前記切換信号を認証する認証手段をそれぞれ備え、前記各第２通信装置に設けられた各第２切換実行手段は、その各認証手段により前記切換信号が認証された場合にその認証された切換信号に応じて、前記各第２鳴動音出力手段を出力状態または停止状態のいずれかに切り換えるものであり、前記各第２切換パターン設定手段により設定される各第２切換パターン情報は、前記各第２切換実行手段により切り換えられる各第２鳴動音出力手段の状態を各々単独で出力状態に切り換える期間が設けられて構成されている。
【発明の効果】
【００１６】
請求項１記載のコードレス通信システムによれば、第１通信装置は、検出手段により呼出が検出されると、送信制御手段により、第１無線通信手段を制御して第２無線通信手段へ鳴動信号を送信すると共に、第１鳴動音出力手段から第１鳴動音を出力する。一方、第２通信装置は、第２無線通信手段によって鳴動信号を受信すると、第２鳴動音出力手段から鳴動音を出力する。ここで、制御手段は、第１鳴動音出力手段により繰り返し出力される第１鳴動音と第２鳴動音出力手段により繰り返し出力される第２鳴動音とが各々単独で出力される期間が発生するようにそれぞれの出力期間を制御する。よって、コードレス通信システムの使用者が、第１通信装置の第１鳴動音のみならず、第２通信装置の第２鳴動音が聞こえる位置に居る場合であっても、第１通信装置および第２通信装置の各鳴動音による合成音が常時にわたって形成されることがないので、その使用者に与える耳障り感を低減することができるという効果がある。
【００１７】
また、第１通信装置および第２通信装置の各鳴動音を単独で出力することができるので、本来設置されるべき場所に第２通信装置が置いてない場合であっても、第２通信装置から出力された単独の鳴動音を頼りに、コードレス通信システムの使用者は、第２通信装置が現在置いてある場所を特定することができるという効果がある。
【００１８】
請求項２記載のコードレス通信システムによれば、第１通信装置は、検出手段により呼出が検出されると、送信制御手段により、第１無線通信手段を制御して第２無線通信手段へ鳴動信号を送信すると共に、第１鳴動音出力手段から第１鳴動音を出力する。一方、第２通信装置は、第２無線通信手段によって鳴動信号を受信すると、第２鳴動音出力手段から第２鳴動音を出力する。ここで、第２無線通信手段が複数存在する場合、制御手段は、その複数の第２通信装置に設けられた各第２鳴動音出力手段により繰り返し出力される各第２鳴動音が各々単独で出力される期間が発生するように、それぞれの出力期間を制御する。よって、コードレス通信システムの使用者が、第２通信装置の鳴動音の各々が聞こえる場所に居ても、第２通信装置同士の各鳴動音による合成音が常時にわたって形成されることがないので、その使用者に与える耳障り感を低減することができるという効果がある。
【００１９】
また、第２通信装置の各鳴動音を単独で出力することができるので、本来設置されるべき場所に第２通信装置が置いてない場合であっても、各第２通信装置から出力された単独の鳴動音を頼りに、コードレス通信システムの使用者は、第２通信装置が現在置いてある場所を特定することができるという効果がある。
【００２０】
請求項３記載のコードレス通信システムによれば、請求項１または２に記載のコードレス通信システムの奏する効果に加え、制御手段は、第１鳴動音出力手段により繰り返し出力される第１鳴動音と第２鳴動音出力手段により繰り返し出力される第２鳴動音とが互いに重複しない単独音として出力されるようにそれぞれの出力期間を制御する。よって、コードレス通信システムの使用者が、第１通信装置の第１鳴動音のみならず、第２通信装置の第２鳴動音が聞こえる位置に居る場合であっても、第１通信装置および第２通信装置の各鳴動音による合成音が形成されることがないので、その使用者に対して耳障り感を与えることなく、各鳴動音を出力することができるという効果がある。
【００２１】
請求項４記載のコードレス通信システムによれば、請求項３記載のコードレス通信システムの奏する効果に加え、制御手段は、分割楽曲実行手段として機能し、その分割楽曲実行手段は、楽曲設定手段により設定された楽曲を、第１鳴動音出力手段、および第２鳴動出力手段に分割楽曲記憶手段に記憶された分割楽曲データ単位で順次出力させる。ここで、分割楽曲実行手段は、第１鳴動音出力手段と第２鳴動音出力手段とが同一の分割楽曲データに基づく小節を出力するように制御すると共に、第１鳴動出力手段による小節の出力後に第２鳴動出力手段が、若しくは第２鳴動出力手段による小節の出力後に第１鳴動出力手段が、続けて小節を出力するようにそれぞれの出力期間を制御する。これにより、第１鳴動音出力手段により出力される小節と第２鳴動音出力手段により出力される小節とが、同一の小節を一定の間隔をおいて追いかけるように、即ち、輪唱を形成するように出力される。よって、コードレス通信システムの使用者に対して耳障り感を与えることがない上に、その使用者に時として耳障り感や緊張感を与える鳴動音を、一転して、その使用者にリラックス感を与える鳴動音とすることができるという効果がある。
【００２２】
請求項５記載のコードレス通信システムによれば、請求項３記載のコードレス通信システムの奏する効果に加え、制御手段は、分割楽曲実行手段として機能し、その分割楽曲実行手段は、楽曲設定手段により設定された楽曲を、第１鳴動音出力手段、および第２鳴動出力手段に分割楽曲記憶手段に記憶された分割楽曲データ単位で順次出力させる。ここで、分割楽曲実行手段は、第１鳴動音出力手段により出力される小節と第２鳴動音出力手段により出力される小節とにより、一連のメロディが形成されるように、第１鳴動音出力手段に出力させる小節となる分割楽曲データ、および第２鳴動音出力手段に出力させる小節となる分割楽曲データを決定すると共に、それぞれの出力期間を制御する。よって、コードレス通信システムの使用者に対して耳障り感を与えることがない上に、その使用者に時として耳障り感や緊張感を与える鳴動音を、一転して、その使用者にリラックス感を与える鳴動音とすることができるという効果がある。
【００２３】
請求項６記載のコードレス通信システムによれば、請求項４または５に記載のコードレス通信システムの奏する効果に加え、分割楽曲実行手段は、第１通信装置に備えられる第１分割楽曲実行手段と第２通信装置に備えられる第２分割楽曲実行手段とから構成される。ここで、第１分割楽曲実行手段は、更新記憶手段に記憶される出力回数に基づいて、第１分割楽曲記憶手段に記憶された分割楽曲データのうち、出力すべき小節となる分割楽曲データを選択し、第１鳴動出力手段に出力させる。一方、第２分割楽曲実行手段は、送信制御手段から送信される出力回数情報に基づいて、第２分割楽曲記憶手段に記憶された分割楽曲データのうち、出力すべき小節となる分割楽曲データを選択し、第２鳴動出力手段に出力させる。よって、例えば電波障害等で、第２通信装置が、出力回数情報を受信し損ねた場合でも、次回以降に送信制御手段から送信される出力回数情報を受信すれば、第２通信装置は、第２鳴動出力手段から出力される小節を出力すべき正しいものにすることができるという効果がある。
【００２４】
請求項７記載のコードレス通信システムの第２通信装置によれば、第１通信装置の検出手段により呼出が検出されたときに第１無線通信手段から送信される鳴動信号を、第２無線通信手段によって受信すると、第２鳴動音出力手段から鳴動音が出力される。ここで、第２通信装置は、少なくとも２以上設けられており、その各第２通信装置に備えられる各子機側制御手段は、各第２鳴動音出力手段により出力される各第２鳴動音が各々単独で出力される期間が発生するように、それぞれの出力期間を制御する。よって、コードレス通信システムの使用者が、第２通信装置の鳴動音の各々が聞こえる場所に居ても、第２通信装置同士の各鳴動音による合成音が常時にわたって形成されることがないので、使用者に与える耳障り感を低減することができるという効果がある。
【００２５】
請求項８記載のコードレス通信システムによれば、請求項１記載のコードレス通信システムの奏する効果に加え、制御手段は、第１通信装置に備えられる第１切換実行手段と第２通信装置に備えられる第２切換実行手段とから構成されている。第１切換実行手段は、第１切換パターン設定手段により設定された第１切換パターン情報と第１計時手段による経過時間とによって、第１鳴動音出力手段の状態の切り換えを繰り返し実行する。一方、第２切換実行手段は、第２切換パターン設定手段により設定された第２切換パターン情報と第２計時手段による経過時間とによって、第２鳴動音出力手段の状態の切り換えを繰り返し実行する。ここで、第１切換パターン設定手段により設定される第１切換パターン情報、および第２切換パターン設定手段により設定される第２切換パターン情報は、第１鳴動音出力手段の状態と第２鳴動音出力手段の状態とを各々単独で出力状態に切り換える期間が設けられて構成されている。これにより、第１鳴動音出力手段により出力される第１鳴動音と第２鳴動音出力手段により出力される第２鳴動音とに対して、各々単独で出力される期間を設けることができる。よって、コードレス通信システムの使用者が、第１通信装置の第１鳴動音のみならず、第２通信装置の第２鳴動音が聞こえる位置に居る場合であっても、第１通信装置および第２通信装置の各鳴動音による合成音が常時にわたって形成されることがないので、その使用者に与える耳障り感を低減することができるという効果がある。
【００２６】
請求項９記載のコードレス通信システムによれば、請求項８記載のコードレス通信システムの奏する効果に加え、第２通信装置は、少なくとも２以上設けられており、その各第２通信装置に設けられる各第２切換パターン設定手段により設定される第２切換パターン情報のそれぞれは、各第２鳴動音出力手段の状態を各々単独で出力状態に切り換える期間が設けられて構成されている。これにより、各第２鳴動音出力手段により出力される各第２鳴動音に対して、各々単独で出力される期間を設けることができる。よって、コードレス通信システムの使用者が、第１通信装置の第１鳴動音に加え、各第２通信装置の第２鳴動音の各々が聞こえる場所に居ても、第１通信装置および各第２通信装置の各鳴動音による合成音が常時にわたって形成されることがないので、その使用者に与える耳障り感を低減することができるという効果がある。
【００２７】
請求項１０記載のコードレス通信システムによれば、請求項１記載のコードレス通信システムの奏する効果に加え、制御手段は、第１通信装置に備えられる第１切換実行手段と第２通信装置に備えられる第２切換実行手段とから構成されている。第１切換実行手段は、第１切換パターン設定手段により設定された第１切換パターン情報と第１計時手段による経過時間とによって、第１鳴動音出力手段の状態の切り換えを繰り返し実行する。一方、第２切換実行手段は、第２無線通信手段により切換信号が受信されるとその受信された切換信号に応じて、第２鳴動音出力手段の状態の切り換えを実行する。なお、送信制御手段による第２無線通信手段への切換信号の送信は、第１計時手段による経過時間に関連付けられた第２切換パターン情報に基づいて行われる。ここで、第１切換パターン情報および第２切換パターン情報は、第１切換実行手段により切り換えられる第１鳴動音出力手段の状態と第２切換実行手段により切り換えられる第２鳴動音出力手段の状態とを各々単独で出力状態に切り換える期間が設けられて構成されている。これにより、第１鳴動音出力手段により出力される第１鳴動音と第２鳴動音出力手段により出力される第２鳴動音とに対して、各々単独で出力される期間を設けることができる。よって、コードレス通信システムの使用者が、第１通信装置の第１鳴動音のみならず、第２通信装置の第２鳴動音が聞こえる位置に居る場合であっても、第１通信装置および第２通信装置の各鳴動音による合成音が常時にわたって形成されることがないので、使用者に与える耳障り感を低減することができるという効果がある。
【００２８】
また、第１切換パターン設定手段は、第１計時手段による経過時間に関連付けて第１切換パターン情報を設定する。同様に、第２切換パターン設定手段は、第１計時手段による経過時間に関連付けて第２切換パターン情報を設定する。よって、第１切換実行手段による第１鳴動音出力手段の状態の切り換えと送信制御手段による第２無線通信手段への切換信号の送信との両方を、第１計時手段による経過時間によって制御することができる。言い換えれば、第１切換実行手段による第１鳴動音出力手段の状態の切り換えと第２切換実行手段による第２鳴動音出力手段の状態の切り換えとの両方を、第１計時手段による経過時間によって制御することができる。従って、第１切換実行手段による第１鳴動音出力手段の状態の切り換えと第２切換実行手段による第２鳴動音出力手段の状態の切り換えとが非同期となることを防止することができるという効果がある。
【００２９】
請求項１１記載のコードレス通信システムによれば、請求項１０記載のコードレス通信システムの奏する効果に加え、第２通信装置は、少なくとも２以上設けられており、その各第２通信装置に設けられる各第２切換実行手段は、第２無線通信手段により受信した切換信号に応じて、各第２鳴動音出力手段を出力状態または停止状態のいずれかに切り換える。ここで、送信制御手段は、第２切換パターン設定手段により設定された、各第２通信装置に対応する第２切換パターン情報に基づいて、切換信号を送信する。そして、各第２切換パターン設定手段により設定される各第２切換パターン情報は、各第２切換実行手段により切り換えられる各第２鳴動音出力手段の状態を各々単独で出力状態に切り換える期間が設けられて構成されている。よって、コードレス通信システムの使用者が、第１通信装置の第１鳴動音に加え、第２通信装置の第２鳴動音の各々が聞こえる場所に居る場合であっても、第１通信装置および第２通信装置の各鳴動音による合成音が常時にわたって形成されることがないので、使用者に与える耳障り感を低減することができるという効果がある。
【００３０】
また、送信制御手段は、第１無線通信手段に切換信号を送信させる際に、出力状態または停止状態に切り換えるべき第２鳴動音出力手段が備えられた第２通信装置を特定する識別情報を送信する。ここで、各第２通信装置に設けられる各第２切換実行手段は、各認証手段により切換信号が認証された場合に、その認証された切換信号に応じて、各第２鳴動音出力手段を出力状態または停止状態のいずれかに切り換える。よって、自機に対して送信された切換信号を、他の第２通信装置に対して送信された切換信号と間違うことなく、確実に受信することができる。従って、第２鳴動音出力手段の状態を、誤りなく切り換えることができるという効果がある。
【発明を実施するための最良の形態】
【００３１】
以下、本発明の好ましい実施形態について、添付図面を参照して説明する。図１は、本発明の一実施形態における多機能周辺装置（以下、「ＭＦＰ（Ｍｕｌｔｉ  Ｆｕｎｃｔｉｏｎ  Ｐｅｒｉｐｈｅｒａｌ）」と称する。）１０および子機５１（子機７１）から構成されるデジタルコードレス電話システム１の電気的構成を示すブロック図である。
【００３２】
このデジタルコードレス電話システム１は、電話回線網８０を介して相手電話機からの呼出信号をＭＦＰ１０が検出すると、ＭＦＰ１０および子機５１（子機７１）から鳴動音を出力する。その際、本システム１では、ＭＦＰ１０および子機５１（子機７１）から出力される各鳴動音を単独で出力させることができる（間欠の鳴動音にすることができる）。よって、デジタルコードレス電話システム１の使用者が、ＭＦＰ１０の鳴動音のみならず、子機５１（子機７１）の鳴動音が聞こえる位置に居る場合であっても、ＭＦＰ１０および子機５１（子機７１）の各鳴動音による合成音が常時にわたって形成されることがないので、その使用者に与える耳障り感を低減することができる。
【００３３】
また、このデジタルコードレス電話システム１は、電話回線網８０を介して相手電話機から呼出信号をＭＦＰ１０が検出すると、ＭＦＰ１０および子機５１（子機７１）から出力される各鳴動音を重複させず単独で出力させたり、或いは、子機５１および子機７１から出力される各鳴動音を重複させず単独で出力させることができる。よって、本来設置されるべき場所に子機５１や子機７１が置いてない場合であっても、各子機から出力された単独の鳴動音を頼りに、デジタルコードレス電話システム１の使用者は、各子機が現在置いてある場所を特定することができる。
【００３４】
まず、ＭＦＰ１０の電気的構成について説明する。ＭＦＰ１０は、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、フラッシュメモリ１４、操作キー１５、ＬＣＤ１６、スキャナ１７、プリンタ１８、計時回路１９、無線通信制御回路２２、スピーカ２４、マイクロフォン２６、ＮＣＵ（Ｎｅｔｗｏｒｋ  Ｃｏｎｔｒｏｌ  Ｕｎｉｔ）２８、モデム２９とを主に有している。
【００３５】
ＣＰＵ１１、ＲＯＭ１２、ＲＡＭ１３、フラッシュメモリ１４は、バスライン３１を介して互いに接続されている。また、操作キー１５、ＬＣＤ１６、スキャナ１７、プリンタ１８、計時回路１９、無線通信制御回路２２、スピーカ２４、マイクロフォン２６、ＮＣＵ２８、モデム２９は、入出力ポート３２を介して互いに接続されている。
【００３６】
ＣＰＵ１１は、ＲＯＭ１２やＲＡＭ１３やフラッシュメモリ１４に記憶される固定値やプログラム或いは、無線通信制御回路２２またはＮＣＵ２８を介して送受信される各種信号に従って、ＭＦＰ１０が有している各機能の制御や、入出力ポート３２と接続された各部を制御する演算装置である。
【００３７】
ＲＯＭ１２は、ＭＦＰ１０で実行される制御プログラムなどを格納した書換不能なメモリである。図５のフローチャートに示すメイン処理を実行するプログラムは、このＲＯＭ１２に格納されている。また、ＲＯＭ１２には、鳴動タイミングテーブルメモリ１２ａが設けられている。鳴動タイミングテーブルメモリ１２ａは、後述するメイン処理（図５参照）に使用する各種情報（鳴動音の内容、鳴動音の出力タイミング、鳴動音の停止タイミングおよび識別情報）が、ＭＦＰ１０、子機５１および子機７１のそれぞれに対応して記憶された複数の鳴動タイミングテーブルを記憶するメモリである。なお、この鳴動タイミングテーブルメモリ１２ａに記憶される各鳴動タイミングテーブルの詳細については、図２〜図４を参照して後述する。
【００３８】
ＲＡＭ１３は、書き換え可能な揮発性のメモリであり、ＭＦＰ１０の各操作の実行時に各種のデータを一時的に記憶するためのメモリである。このＲＡＭ１３には、鳴動回数カウンタ１３ａ、鳴動タイマ１３ｂおよび識別情報メモリ１３ｃが設けられている。鳴動回数カウンタ１３ａは、相手電話機からの呼出信号がＮＣＵ２８により検出された場合に、その呼出信号の検出からの経過時間を計時するカウンタである。この鳴動回数カウンタ１３ａは、相手電話機からの呼出信号がＮＣＵ２８により新たに検出された場合にゼロに設定される一方、ＮＣＵ２８による呼出信号の検出から２秒が経過する毎に、１ずつカウントアップされる。
【００３９】
なお、ＭＦＰ１０は、鳴動回数カウンタ１３ａの更新が行われると、選択された鳴動タイミングテーブルを参照し、その鳴動回数カウンタ１３ａに対応した鳴動音をスピーカ２４から出力する。つまり、ＭＦＰ１０は、鳴動回数カウンタ１３ａのカウント値に基づき、鳴動音の出力と停止を制御する。これにより、ＭＦＰ１０は、鳴動音を間欠で出力することができる。
【００４０】
また、ＭＦＰ１０は、鳴動回数カウンタ１３ａの更新が行われると、鳴動音を出力させるための命令信号である鳴動信号と共に、鳴動回数カウンタ１３ａの値を鳴動回数情報として、子機５１（子機７１）へ送信する。この鳴動信号および鳴動回数情報により、子機５１（子機７１）は、鳴動音の出力と停止を制御する。これにより、子機５１（子機７１）は、鳴動音を間欠で出力することができる。
【００４１】
なお、ＭＦＰ１０は、鳴動信号と共に鳴動回数情報を、子機５１（子機７１）へ送信している。よって、子機５１や子機７１が鳴動信号を受信し損ねた場合でも、次回以降にＭＦＰ１０から送信される鳴動信号に加え、鳴動回数情報を受信することで、子機５１（子機７１）は、出力する鳴動音を、出力すべき正しい鳴動音にすることができる。
【００４２】
鳴動タイマ１３ｂは、鳴動回数カウンタ１３ａのカウント値の更新タイミング、即ち、ＭＦＰ１０による鳴動音の出力や停止を制御するタイミング、および鳴動信号の送信のタイミングを２秒間隔に設定するタイマである。この鳴動タイマ１３ｂは、減算型のタイマであり、相手電話機との通話が終了するとリセットされる一方で、着信信号の検出が行われ、鳴動回数カウンタ１３ａのカウント値が更新されると、定期的に減算を行い、鳴動回数カウンタ１３ａのカウント値の更新から２秒が経過したことを、タイマ値をゼロとすることで検出する。なお、鳴動タイマ１３ｂのタイマ値がゼロになると、ＭＦＰ１０は、鳴動回数カウンタ１３ａのカウント値の更新を行う。
【００４３】
識別情報メモリ１３ｃは、選択された鳴動タイミングテーブルに応じてＭＦＰ１０に個別に割り当てられる識別情報を記憶するメモリである。ＭＦＰ１０は、識別情報メモリ１３ｃに記憶された識別情報により、鳴動タイミングテーブルメモリ１２ａに記憶された各種情報から必要となる情報だけを取得する。なお、識別情報メモリ１３ｃに記憶される識別情報については、図２〜図４を参照して、鳴動タイミングテーブルメモリ１２ａ，５３ａの説明と共に後述する。
【００４４】
フラッシュメモリ１４は、書き換え可能な不揮発性のメモリであり、このフラッシュメモリ１４に記憶されたデータは、ＭＦＰ１０の電源オフ後も保持される。フラッシュメモリ１４には、テーブルナンバーメモリ１４ａが設けられている。テーブルナンバーメモリ１４ａは、鳴動タイミングテーブルメモリ１２ａに記憶される複数の鳴動タイミングテーブルから、ＭＦＰ１０により選択された１の鳴動タイミングテーブルを示すテーブルナンバーを記憶するメモリである。テーブルナンバーメモリ１４ａは、１の鳴動タイミングテーブルが選択された場合に、その選択された１の鳴動タイミングテーブルを示すテーブルナンバーを記憶する。そして、テーブルナンバーメモリ１４ａは、その選択された１の鳴動タイミングテーブルが他の鳴動タイミングテーブルに変更された場合に、テーブルナンバーを更新して記憶する。
【００４５】
操作キー１５は、一般電話機能、スキャナ機能、プリンタ機能やファクシミリ機能といった各機能の切り換えや、各種動作の指示および設定を行うための入力ボタンである。ＬＣＤ１６は、操作キー１５の操作に応じて、ＭＦＰ１０の動作状態などを表示するための液晶ディスプレイである。ＭＦＰ１０の使用者が操作キー１５を操作することにより、その操作に対応する情報がＬＣＤ１６に表示される。
【００４６】
スキャナ１７は、ＣＰＵ１１からの指示に基づいて、スキャナ１７に設けられた原稿読取台（図示せず）にセットされた原稿から画像の読み取りを行うと共に、その画像をＬＣＤ１６に表示したり、プリンタ１９で印刷可能な画像データを生成するものである。このスキャナ１８により読み取られた画像データは、ＭＦＰ１０がファクシミリモードやスキャナモードやコピーモードに設定されている場合には、ＲＡＭ１３における所定の記憶領域に格納される。
【００４７】
プリンタ１８は、ＣＰＵ１１からの指示に基づいて、プリンタ１８に設けられた給紙カセット（図示せず）内の記録用紙への印刷を行うものである。計時回路１９は、現在の日時を刻む時計機能を有するとともに、ＭＦＰ１０がキー入力や相手電話機からの呼出信号を待つ待機時間などを計時する既知の回路である。
【００４８】
無線通信制御回路２２は、無線通信用アンテナ２３を有しており、子機５１（子機７１）の無線通信制御回路６０と無線通信を行い、子機５１（子機７１）との間でテーブルナンバーなどの各種情報や、鳴動信号など各種信号の送受信を可能にする既知の回路である。なお、無線通信制御回路２２は、ＭＦＰ１０の電源オン中、定期的に同期信号を送信する。そして、子機５１（子機７１）は、この同期信号に基づいてＭＦＰ１０との間で同期をとる。これにより、ＭＦＰ１０および子機５１（子機７１）は、常に同期が取れた状態を維持することができる。
【００４９】
スピーカ２４は、相手電話機からの呼出信号がＮＣＵ２８により検出された場合に、鳴動音を出力する装置である。また、スピーカ１７は、状況に応じた各種音声（例えば、操作キー１５の操作音やエラー発生時の注意音）を出力するものであり、かかる音声の発音によってユーザに状況を報知する。
【００５０】
マイクロフォン２６は、相手電話機との通話時に、電話回線網８０を介して相手電話機へ送信する音声を音声信号に変換する装置である。ＮＣＵ２８は、電話回線網８０と接続されており、電話回線網８０へのダイヤル信号の送出や、電話回線網８０からの呼出信号の検出などの制御を行うものである。モデム２９は、ファクシミリ機能により送信が指示された画像データを、電話回線網８０に伝送可能な信号に変調してＮＣＵ２８を介して送信したり、電話回線網８０からＮＣＵ２８を介して入力された信号を受信し、ＬＣＤ１６に表示したりプリンタ１８で記録可能な画像データに復調するものである。
【００５１】
次に、子機５１の電気的構成について説明する。なお、子機７１については、子機５１と同一の電気的構成であるので、その説明を省略する。子機５１は、ＣＰＵ５２、ＲＯＭ５３、ＲＡＭ５４、フラッシュメモリ５５、操作キー５６、ＬＣＤ５７、充電池５８、無線通信制御回路６０、スピーカ６２、およびマイクロフォン６４を主に有している。
【００５２】
ＣＰＵ５２、ＲＯＭ５３、ＲＡＭ５４、フラッシュメモリ５５、操作キー５６、ＬＣＤ５７、充電池５８、無線通信制御回路６０、スピーカ６２、マイクロフォン６４は、バスライン６６を介して互いに接続されている。
【００５３】
ＣＰＵ５２は、ＲＯＭ５３やＲＡＭ５４に記憶される固定値やプログラム或いは、無線通信制御回路６０を介して送受信される各種信号に従って、バスライン６６により接続された各部を制御するものである。ＲＯＭ５３は、子機５１で実行される各種の制御プログラムを記憶する書換不能なメモリである。
【００５４】
ＲＯＭ５３には、鳴動タイミングテーブルメモリ５３ａが設けられている。鳴動タイミングテーブルメモリ５３ａは、ＭＦＰ１０の鳴動タイミングテーブルメモリ１２ａに記憶された複数の鳴動タイミングテーブルと同一の鳴動タイミングテーブルを記憶するメモリである。なお、この鳴動タイミングテーブルメモリ５３ａに記憶される各鳴動タイミングテーブルの詳細については、図２〜図４を参照して、鳴動タイミングテーブルメモリ１２ａの説明と共に後述する。
【００５５】
ＲＡＭ５４は、書き換え可能な揮発性のメモリであり、子機５１の各操作の実行時に各種のデータを一時的に記憶するためのメモリである。このＲＡＭ５４には、鳴動回数情報受信カウンタ５４ａと、鳴動タイマ５４ｂと、識別情報メモリ５４ｃとが設けられている。
【００５６】
鳴動回数情報受信カウンタ５４ａは、ＭＦＰ１０から鳴動信号と共に送信される鳴動回数情報を受信した場合に、その鳴動回数情報の示す回数にカウント値を更新するカウンタである。なお、鳴動回数情報は、鳴動回数カウンタ１３ａの値を示しており、その鳴動回数カウンタ１３ａは、ＮＣＵ２８による呼出信号の検出からの経過時間に応じて更新される。よって、鳴動回数情報が受信された場合に更新が行われる鳴動回数情報受信カウンタ５４ａは、ＮＣＵ２８による呼出信号の検出からの経過時間を示す一方で、鳴動回数情報を最初に受信してからの経過時間、即ち、鳴動信号を最初に受信してからの経過時間も示している。
【００５７】
ここで、子機５１（子機７１）は、鳴動回数情報受信カウンタ５４ａの更新が行われると、選択された鳴動タイミングテーブルを参照し、その鳴動回数情報受信カウンタ５４ａに対応した鳴動音をスピーカ６２から出力する。つまり、子機５１（子機７１）は、鳴動回数情報受信カウンタ５４ａのカウント値に基づき、鳴動音の出力と停止を制御する。これにより、子機５１（子機７１）は、鳴動音を間欠で出力することができる。なお、鳴動回数情報受信カウンタ５４ａは、相手電話機との通話が終了するとカウント値がゼロに設定される。
【００５８】
鳴動タイマ５４ｂは、鳴動回数情報受信カウンタ５４ａのカウント値の更新タイミング、即ち、子機５１（子機７１）による鳴動音の出力や停止を制御するタイミングを２秒間隔に設定するタイマである。この鳴動タイマ５４ｂは、減算型のタイマであり、相手電話機との通話が終了するとリセットされる一方で、鳴動信号および鳴動回数情報が受信されると、定期的に減算を行い、鳴動信号および鳴動回数情報の受信から２秒が経過したことを、タイマ値をゼロとすることで検出する。なお、鳴動タイマ５４ｂのタイマ値がゼロになると、子機５１（子機７１）は、鳴動信号および鳴動回数情報の新たな受信を待機する状態となる。鳴動信号および鳴動回数情報の新たな受信が行われると、子機５１（子機７１）は、鳴動回数情報受信カウンタ５４ａのカウント値の更新を行う。
【００５９】
識別情報メモリ５４ｃは、選択された鳴動タイミングテーブルに応じて子機５１および子機７１に個別に割り当てられる識別情報を記憶するメモリである。子機５１および子機７１は、識別情報メモリ５４ｃに記憶された各識別情報により、鳴動タイミングテーブルメモリ５３ａに記憶された各種情報から必要となる情報だけを取得する。なお、識別情報メモリ５４ｃに記憶される識別情報については、図２〜図４を参照して、鳴動タイミングテーブルメモリ１２ａ，５３ａの説明と共に後述する。
【００６０】
フラッシュメモリ５５は、書き換え可能な不揮発性のメモリであり、このフラッシュメモリ５５に記憶されたデータは、子機５１の電源オフ後も保持される。フラッシュメモリ５５には、テーブルナンバーメモリ５５ａが設けられている。テーブルナンバーメモリ５５ａは、ＭＦＰ１０のテーブルナンバーメモリ１４ａと同一の内容を記憶するメモリである。具体的には、テーブルナンバーメモリ５５ａは、ＭＦＰ１０における鳴動タイミングテーブルメモリ１２ａに記憶された複数の鳴動タイミングテーブルから、１の鳴動タイミングテーブルが選択されたときに、ＭＦＰ１０から送信されるテーブルナンバーを受信すると、その受信したテーブルナンバーを記憶する。なお、テーブルナンバーメモリ５５ａは、ＭＦＰ１０からテーブルナンバーを新たに受信した場合には、その受信したテーブルナンバーに記憶内容を更新する。
【００６１】
操作キー５６は、一般電話機能や内線電話機能といった各機能の切り換えや、各種動作の指示および設定を行うための入力ボタンである。ＬＣＤ５７は、操作キー５６の操作に応じて、子機５１の動作状態などを表示するための液晶ディスプレイである。子機５１の使用者が操作キー５６を操作することにより、その操作に対応する情報がＬＣＤ５７に表示される。
【００６２】
充電池５８は、充電台（図示せず）から供給される電力を蓄電するものである。充電池５８に蓄電された電力は、子機５１の各部へ動作電力として供給される。
【００６３】
無線通信制御回路６０は、無線通信用アンテナ６１を有しており、ＭＦＰ１０の無線通信制御回路２２と無線通信を行い、ＭＦＰ１０との間でテーブルナンバーなどの各種情報や、鳴動信号など各種信号の送受信を可能にする既知の回路である。なお、無線通信制御回路６０は、子機５１の電源オン中、定期的に同期信号を受信する。これにより、前述の通り、子機５１（子機７１）およびＭＦＰ１０は、常に同期が取れた状態を維持することができる。
【００６４】
スピーカ６２は、無線通信制御回路６０が鳴動信号を受信した場合に、鳴動音を出力する装置である。また、スピーカ６２は、状況に応じた各種音声（例えば、操作キー５６の操作音やエラー発生時の注意音）を出力するものであり、かかる音声の発音によって子機５１の使用者に状況を報知する。マイクロフォン６４は、無線通信を介してＭＦＰ１０へ送信する音声を音声信号に変換する装置である。
【００６５】
次に、図２〜図４を参照して、鳴動タイミングテーブルメモリ１２ａ，５３ａに記憶される各鳴動タイミングテーブルについて説明する。図２（ａ）は、テーブルナンバー「１」の鳴動タイミングテーブルを模式的に示した図であり、図２（ｂ）は、テーブルナンバー「１」の鳴動タイミングテーブルに基づいて実行される、ＭＦＰ１０、子機５１および子機７１の各鳴動音の出力タイミングを示したタイミングチャートである。同様に、図３は、テーブルナンバー「２」、図４は、テーブルナンバー「３」に対応するものである。
【００６６】
図２（ａ）〜図４（ａ）に示す通り、鳴動タイミングテーブルメモリ１２ａ，５３ａに記憶される各鳴動タイミングテーブルは、鳴動回数情報、識別情報および鳴動音の内容から構成されている。なお、鳴動音の内容とは、ＭＦＰ１０、子機５１または子機７１の各スピーカから出力する鳴動音の具体的な音を示している。また、鳴動タイミングテーブルメモリ１２ａに記憶される各鳴動タイミングテーブルの鳴動回数情報は、鳴動回数カウンタ１３ａの値を示しており、鳴動タイミングテーブルメモリ５３ａに記憶される各鳴動タイミングテーブルの鳴動回数情報は、鳴動回数情報受信カウンタ５４ａの値を示している。
【００６７】
まず、図２を参照して、テーブルナンバー「１」の鳴動タイミングテーブルが、デジタルコードレス電話システム１の使用者により選択された場合について説明する。まず、テーブルナンバー「１」の鳴動タイミングテーブルが選択されると、ＭＦＰ１０に識別情報「Ｓ」が割り当てられ、これが識別情報メモリ１３ｃに記憶される。また、子機５１に識別情報「Ａ」が割り当てられ、これが子機５１の識別情報メモリ５４ｃに記憶される。更に、子機７１に識別情報「Ｂ」が割り当てられ、これが子機７１の識別情報メモリ５４ｃに記憶される。
【００６８】
そして、相手電話機からの呼出信号がＮＣＵ２８により検出され、鳴動回数カウンタ１３ａの値（鳴動回数情報）が「１」となると、ＭＦＰ１０は、鳴動タイミングテーブルメモリ１２ａに記憶されたテーブルナンバー「１」の鳴動タイミングテーブルを参照し、鳴動回数情報が「１」である列から、識別情報「Ｓ」に該当する鳴動音の内容を取得する。このとき、鳴動音の内容は「ある日」であるので、ＭＦＰ１０は、楽曲名「森のくまさん」の始めの小節である「ある日」をスピーカ２４から出力する。
【００６９】
なお、鳴動回数カウンタ１３ａの値が「１」となると、その鳴動回数カウンタ１３ａの値、即ち鳴動回数情報「１」が子機５１および子機７１にも送信される。すると、子機５１は、鳴動回数情報受信カウンタ５４ａの値（鳴動回数情報）を「１」に設定して、鳴動タイミングテーブルメモリ５３ａに記憶されたテーブルナンバー「１」の鳴動タイミングテーブルを参照し、鳴動回数情報が「１」である列から、識別情報「Ａ」に該当する鳴動音の内容を取得する。このとき、鳴動音の内容は「ＮＵＬＬ」であるので、子機５１は、鳴動音の出力を行わない。同様に、子機７１は、鳴動回数情報受信カウンタ５４ａの値（鳴動回数情報）を「１」に設定して、鳴動タイミングテーブルメモリ５３ａに記憶されたテーブルナンバー「１」の鳴動タイミングテーブルを参照し、鳴動回数情報が「１」である列から、識別情報「Ｂ」に該当する鳴動音の内容を取得する。このとき、鳴動音の内容は「ＮＵＬＬ」であるので、子機７１も、鳴動音の出力を行わない。
【００７０】
次に、鳴動回数カウンタ１３ａの値（鳴動回数情報）が「１」となってから２秒が経過すると、鳴動回数カウンタ１３ａの値が「２」に更新される。すると、ＭＦＰ１０は、鳴動タイミングテーブルメモリ１２ａに記憶されたテーブルナンバー「１」の鳴動タイミングテーブルを参照し、鳴動回数情報が「２」である列から、識別情報「Ｓ」に該当する鳴動音の内容を取得する。このとき、鳴動音の内容は「ＮＵＬＬ」であるので、ＭＦＰ１０は、鳴動音の出力を行わない。
【００７１】
また、ＭＦＰ１０から送信される鳴動回数情報「２」を子機５１が受信すると、子機５１は、鳴動回数情報受信カウンタ５４ａの値（鳴動回数情報）を「２」に設定して、鳴動タイミングテーブルメモリ５３ａに記憶されたテーブルナンバー「１」の鳴動タイミングテーブルを参照し、鳴動回数情報が「２」である列から、識別情報「Ａ」に該当する鳴動音の内容を取得する。このとき、鳴動音の内容は「ある日」であるので、子機５１は、「ある日」をスピーカ６２から出力する。
【００７２】
また、ＭＦＰ１０から送信される鳴動回数情報「２」を子機７１が受信すると、子機７１は、鳴動回数情報受信カウンタ５４ａの値（鳴動回数情報）を「２」に設定して、鳴動タイミングテーブルメモリ５３ａに記憶されたテーブルナンバー「１」の鳴動タイミングテーブルを参照し、鳴動回数情報が「２」である列から、識別情報「Ｂ」に該当する鳴動音の内容を取得する。このとき、鳴動音の内容は「ＮＵＬＬ」であるので、子機７１は、鳴動音の出力を行わない。
【００７３】
次に、鳴動回数カウンタ１３ａの値（鳴動回数情報）が「２」となってから２秒が経過すると、鳴動回数カウンタ１３ａの値が「３」に更新される。すると、ＭＦＰ１０は、鳴動タイミングテーブルメモリ１２ａに記憶されたテーブルナンバー「１」の鳴動タイミングテーブルを参照し、鳴動回数情報が「３」である列から、識別情報「Ｓ」に該当する鳴動音の内容を取得する。このとき、鳴動音の内容は「ＮＵＬＬ」であるので、ＭＦＰ１０は、鳴動音の出力を行わない。
【００７４】
また、ＭＦＰ１０から送信される鳴動回数情報「３」を子機５１が受信すると、子機５１は、鳴動回数情報受信カウンタ５４ａの値（鳴動回数情報）を「３」に設定して、鳴動タイミングテーブルメモリ５３ａに記憶されたテーブルナンバー「１」の鳴動タイミングテーブルを参照し、鳴動回数情報が「３」である列から、識別情報「Ａ」に該当する鳴動音の内容を取得する。このとき、鳴動音の内容は「ＮＵＬＬ」であるので、子機５１は、鳴動音の出力を行わない。
【００７５】
また、ＭＦＰ１０から送信される鳴動回数情報「３」を子機７１が受信すると、子機７１は、鳴動回数情報受信カウンタ５４ａの値（鳴動回数情報）を「３」に設定して、鳴動タイミングテーブルメモリ５３ａに記憶されたテーブルナンバー「１」の鳴動タイミングテーブルを参照し、鳴動回数情報が「３」である列から、識別情報「Ｂ」に該当する鳴動音の内容を取得する。このとき、鳴動音の内容は「ある日」であるので、子機７１は、「ある日」をスピーカ６２から出力する。
【００７６】
次に、鳴動回数カウンタ１３ａの値（鳴動回数情報）が「３」となってから２秒が経過すると、鳴動回数カウンタ１３ａの値が「４」に更新される。すると、ＭＦＰ１０は、鳴動タイミングテーブルメモリ１２ａに記憶されたテーブルナンバー「１」の鳴動タイミングテーブルを参照し、鳴動回数情報が「４」である列から、識別情報「Ｓ」に該当する鳴動音の内容を取得する。このとき、鳴動音の内容は楽曲名「森のくまさん」の第二小節である「森の中」であるので、「森の中」をスピーカ２４から出力する。
【００７７】
また、ＭＦＰ１０から送信される鳴動回数情報「４」を子機５１が受信すると、子機５１は、鳴動回数情報受信カウンタ５４ａの値（鳴動回数情報）を「４」に設定して、鳴動タイミングテーブルメモリ５３ａに記憶されたテーブルナンバー「１」の鳴動タイミングテーブルを参照し、鳴動回数情報が「４」である列から、識別情報「Ａ」に該当する鳴動音の内容を取得する。このとき、鳴動音の内容は「ＮＵＬＬ」であるので、子機５１は、鳴動音の出力を行わない。
【００７８】
また、ＭＦＰ１０から送信される鳴動回数情報「４」を子機７１が受信すると、子機７１は、鳴動回数情報受信カウンタ５４ａの値（鳴動回数情報）を「４」に設定して、鳴動タイミングテーブルメモリ５３ａに記憶されたテーブルナンバー「１」の鳴動タイミングテーブルを参照し、鳴動回数情報が「４」である列から、識別情報「Ｂ」に該当する鳴動音の内容を取得する。このとき、鳴動音の内容は「ＮＵＬＬ」であるので、子機７１は、鳴動音の出力を行わない。
【００７９】
なお、上述した動作に基づき、鳴動回数情報が「５」である場合は、子機５１のスピーカ６２から「森の中」が出力され、鳴動回数情報が「６」である場合は、子機７１のスピーカ６２から「森の中」が出力される。その結果、テーブルナンバー「１」が選択された場合には、ＭＦＰ１０、子機５１および子機７１が同じ内容の鳴動音を順番に鳴動させることになり、使用者の耳には鳴動音が輪唱のように聞こえるようになる。
【００８０】
図２（ａ）で上述した動作を図２（ｂ）のタイミングチャートを用いて説明する。まず、相手電話機からの呼出信号がＮＣＵ２８により検出され、鳴動回数カウンタ１３ａの値（鳴動回数情報）が「１」となると、ＭＦＰ１０は、スピーカ２４から「ある日」の「あ」を出力開始し、出力期間が２秒となるときに（ｔ１時になるときに）、「ある日」の「ひ」を出力し終える。これにより、ＭＦＰ１０は、２秒をかけて、「ある日」の小節を単独で出力する。
【００８１】
次に、鳴動回数カウンタ１３ａの値（鳴動回数情報）が「１」となってから２秒が経過すると、鳴動回数カウンタ１３ａが「２」に更新される。そして、鳴動回数情報受信カウンタ５４ａも「２」に更新される。すると、ＭＦＰ１０は鳴動音の出力を停止する一方で、子機５１は、スピーカ６２から「ある日」の「あ」を出力開始し（ｔ１時）、出力期間が２秒となるときに（ｔ２時になるときに）、「ある日」の「ひ」を出力し終える。これにより、子機５１は、２秒をかけて、「ある日」の小節を単独で出力する。
【００８２】
そして、鳴動回数カウンタ１３ａの値（鳴動回数情報）が「２」となってから２秒が経過すると、鳴動回数カウンタ１３ａが「３」に更新される。そして、鳴動回数情報受信カウンタ５４ａも「３」に更新される。すると、子機５１は鳴動音の出力を停止する一方で、子機７１は、スピーカ６２から「ある日」の「あ」を出力開始し（ｔ２時）、出力期間が２秒となるときに（ｔ３時になるときに）、「ある日」の「ひ」を出力し終える。これにより、子機７１は、２秒をかけて、「ある日」の小節を単独で出力する。
【００８３】
次に、鳴動回数カウンタ１３ａの値（鳴動回数情報）が「３」となってから２秒が経過すると、鳴動回数カウンタ１３ａが「４」に更新される。そして、鳴動回数情報受信カウンタ５４ａも「４」に更新される。すると、子機７１は鳴動音の出力を停止する一方で、ＭＦＰ１０は、スピーカ２４から「森の中」の「も」を出力開始し（ｔ３時）、出力期間が２秒となるときに（ｔ４時になるときに）、「森の中」の「か」を出力し終える。これにより、ＭＦＰ１０は、２秒をかけて、「森の中」の小節を単独で出力する。
【００８４】
なお、上述した動作に基づき、鳴動回数情報が「５」である場合は、子機５１のスピーカ６２から「森の中」が出力され、鳴動回数情報が「６」である場合は、子機７１のスピーカ６２から「森の中」が出力される。また、ＭＦＰ１０、子機５１および子機７１からの鳴動音の出力は、相手電話機からの呼出に、ＭＦＰ１０、子機５１および子機７１のいずれかで応答するまで繰り返し行われる。
【００８５】
このように、鳴動タイミングテーブルメモリ１２ａからテーブルナンバー「１」の鳴動タイミングテーブルが選択されると、ＭＦＰ１０は、鳴動音の出力の順番が、ＭＦＰ１０→子機５１→子機７１→ＭＦＰ１０・・・となる制御を行う上に、各スピーカから出力される鳴動音が、同一の小節を追いかける形態となるように、即ち、輪唱を形成するように、各鳴動音の出力を制御することができる。よって、ＭＦＰ１０、子機５１および子機７１の鳴動音が一斉に出力される場合であっても、それぞれが実際に鳴動するタイミングは重なることがないため、デジタルコードレス電話システム１の使用者に時として耳障り感を与える鳴動音を、一転して、その使用者に、リラックス感を与える鳴動音とすることができる。
【００８６】
次に、図３を参照して、テーブルナンバー「２」の鳴動タイミングテーブルが、デジタルコードレス電話システム１の使用者によって選択された場合について説明する。まず、テーブルナンバー「２」の鳴動タイミングテーブルが、選択されると、ＭＦＰ１０に識別情報「Ｓ」が割り当てられ、これが識別情報メモリ１３ｃに記憶される。また、子機５１に識別情報「Ａ」が割り当てられ、これが子機５１の識別情報メモリ５４ｃに記憶される。更に、子機７１に識別情報「Ｂ」が割り当てられ、これが子機７１の識別情報メモリ５４ｃに記憶される。
【００８７】
そして、相手電話機からの呼出信号がＮＣＵ２８により検出され、鳴動回数カウンタ１３ａの値（鳴動回数情報）が「１」となると、ＭＦＰ１０は、鳴動タイミングテーブルメモリ１２ａに記憶されたテーブルナンバー「２」の鳴動タイミングテーブルを参照し、鳴動回数情報が「１」である列から、識別情報「Ｓ」に該当する鳴動音の内容を取得する。このとき、鳴動音の内容は「ある日」であるので、ＭＦＰ１０は、楽曲名「森のくまさん」の始めの小節である「ある日」をスピーカ２４から出力する。
【００８８】
なお、鳴動回数カウンタ１３ａの値（鳴動回数情報）が「１」となることに伴い、鳴動回数情報受信カウンタ５４ａの値（鳴動回数情報）も「１」となる。このとき、鳴動回数情報が「１」である列の、識別情報「Ａ」および識別情報「Ｂ」に該当する鳴動音の内容はいずれも「ＮＵＬＬ」であるので、子機５１および子機７１は、鳴動音の出力を行わない。
【００８９】
次に、鳴動回数カウンタ１３ａの値（鳴動回数情報）が「１」となってから２秒が経過すると、鳴動回数カウンタ１３ａが「２」に更新される。そして、鳴動回数情報受信カウンタ５４ａも「２」に更新される。このとき、鳴動回数情報が「２」である列の、識別情報「Ｓ」および識別情報「Ｂ」に該当する鳴動音の内容はいずれも「ＮＵＬＬ」であるので、ＭＦＰ１０および子機７１は、鳴動音の出力を行わない。
【００９０】
一方、ＭＦＰ１０から送信される鳴動回数情報「２」を子機５１が受信すると、子機５１は、鳴動回数情報受信カウンタ５４ａの値（鳴動回数情報）を「２」に設定して、鳴動タイミングテーブルメモリ５３ａに記憶されたテーブルナンバー「２」の鳴動タイミングテーブルを参照し、鳴動回数情報が「２」である列から、識別情報「Ａ」に該当する鳴動音の内容を取得する。このとき、鳴動音の内容は「森の中」であるので、子機５１は、楽曲名「森のくまさん」の第二小節である「森の中」をスピーカ６２から出力する。
【００９１】
次に、鳴動回数カウンタ１３ａの値（鳴動回数情報）が「２」となってから２秒が経過すると、鳴動回数カウンタ１３ａが「３」に更新される。そして、鳴動回数情報受信カウンタ５４ａも「３」に更新される。このとき、鳴動回数情報が「３」である列の、識別情報「Ｓ」および識別情報「Ａ」に該当する鳴動音の内容はいずれも「ＮＵＬＬ」であるので、ＭＦＰ１０および子機５１は、鳴動音の出力を行わない。
【００９２】
一方、ＭＦＰ１０から送信される鳴動回数情報「３」を子機７１が受信すると、子機７１は、鳴動回数情報受信カウンタ５４ａの値（鳴動回数情報）を「３」に設定して、鳴動タイミングテーブルメモリ５３ａに記憶されたテーブルナンバー「２」の鳴動タイミングテーブルを参照し、鳴動回数情報が「３」である列から、識別情報「Ｂ」に該当する鳴動音の内容を取得する。このとき、鳴動音の内容は楽曲名「森のくまさん」の第三小節である「くまさんに」であるので、「くまさんに」をスピーカ６２から出力する。
【００９３】
次に、鳴動回数カウンタ１３ａの値（鳴動回数情報）が「３」となってから２秒が経過すると、鳴動回数カウンタ１３ａが「４」に更新される。そして、鳴動回数情報受信カウンタ５４ａも「４」に更新される。このとき、鳴動回数情報が「４」である列の、識別情報「Ａ」および識別情報「Ｂ」に該当する鳴動音の内容はいずれも「ＮＵＬＬ」であるので、子機５１および子機７１は、鳴動音の出力を行わない。
【００９４】
一方、鳴動回数カウンタ１３ａが「４」に更新されると、ＭＦＰ１０は、鳴動タイミングテーブルメモリ１２ａに記憶されたテーブルナンバー「２」の鳴動タイミングテーブルを参照し、鳴動回数情報が「４」である列から、識別情報「Ｓ」に該当する鳴動音の内容を取得する。このとき、鳴動音の内容は楽曲名「森のくまさん」の第四小節である「出会った」であるので、「出会った」をスピーカ６２から出力する。
【００９５】
次に、鳴動回数カウンタ１３ａの値（鳴動回数情報）が「４」となってから２秒が経過すると、鳴動回数カウンタ１３ａが「５」に更新される。そして、鳴動回数情報受信カウンタ５４ａも「５」に更新される。このとき、鳴動回数情報が「５」である列の、識別情報「Ｓ」および識別情報「Ｂ」に該当する鳴動音の内容はいずれも「ＮＵＬＬ」であるので、ＭＦＰ１０および子機７１は、鳴動音の出力を行わない。
【００９６】
一方、ＭＦＰ１０から送信される鳴動回数情報「５」を子機５１が受信すると、子機５１は、鳴動回数情報受信カウンタ５４ａの値（鳴動回数情報）を「５」に設定して、鳴動タイミングテーブルメモリ５３ａに記憶されたテーブルナンバー「２」の鳴動タイミングテーブルを参照し、鳴動回数情報が「５」である列から、識別情報「Ａ」に該当する鳴動音の内容を取得する。このとき、鳴動音の内容は「ある日」であるので、子機５１は、楽曲名「森のくまさん」の始めの小節である「ある日」をスピーカ６２から出力する。
【００９７】
そして、鳴動回数カウンタ１３ａの値（鳴動回数情報）が「５」となってから２秒が経過すると、鳴動回数カウンタ１３ａが「６」に更新される。そして、鳴動回数情報受信カウンタ５４ａも「６」に更新される。このとき、鳴動回数情報が「６」である列の、識別情報「Ｓ」および識別情報「Ａ」に該当する鳴動音の内容はいずれも「ＮＵＬＬ」であるので、ＭＦＰ１０および子機５１は、鳴動音の出力を行わない。
【００９８】
一方、ＭＦＰ１０から送信される鳴動回数情報「６」を子機７１が受信すると、子機７１は、鳴動回数情報受信カウンタ５４ａの値（鳴動回数情報）を「６」に設定して、鳴動タイミングテーブルメモリ５３ａに記憶されたテーブルナンバー「２」の鳴動タイミングテーブルを参照し、鳴動回数情報が「６」である列から、識別情報「Ｂ」に該当する鳴動音の内容を取得する。このとき、鳴動音の内容は楽曲名「森のくまさん」の第二小節である「森の中」であるので、「森の中」をスピーカ６２から出力する。
【００９９】
図３（ａ）で上述した動作を図３（ｂ）のタイミングチャートを用いて説明する。まず、相手電話機からの呼出信号がＮＣＵ２８により検出され、鳴動回数カウンタ１３ａの値（鳴動回数情報）が「１」となると、ＭＦＰ１０は、スピーカ２４から「ある日」の「あ」を出力開始し、出力期間が２秒となるときに（ｔ１時になるときに）、「ある日」の「ひ」を出力し終える。これにより、ＭＦＰ１０は、２秒をかけて、「ある日」の小節を単独で出力する。
【０１００】
次に、鳴動回数カウンタ１３ａの値（鳴動回数情報）が「１」となってから２秒が経過すると、鳴動回数カウンタ１３ａが「２」に更新される。そして、鳴動回数情報受信カウンタ５４ａも「２」に更新される。すると、ＭＦＰ１０は鳴動音の出力を停止する一方で、子機５１は、スピーカ６２から「森の中」の「も」を出力開始し（ｔ１時）、出力期間が２秒となるときに（ｔ２時になるときに）、「森の中」の「か」を出力し終える。これにより、子機５１は、２秒をかけて、「森の中」の小節を単独で出力する。
【０１０１】
そして、鳴動回数カウンタ１３ａの値（鳴動回数情報）が「２」となってから２秒が経過すると、鳴動回数カウンタ１３ａが「３」に更新される。そして、鳴動回数情報受信カウンタ５４ａも「３」に更新される。すると、子機５１は鳴動音の出力を停止する一方で、子機７１は、スピーカ６２から「くまさんに」の「く」を出力開始し（ｔ２時）、出力期間が２秒となるときに（ｔ３時になるときに）、「くまさんに」の「に」を出力し終える。これにより、子機７１は、２秒をかけて、「くまさんに」の小節を単独で出力する。
【０１０２】
次に、鳴動回数カウンタ１３ａの値（鳴動回数情報）が「３」となってから２秒が経過すると、鳴動回数カウンタ１３ａが「４」に更新される。そして、鳴動回数情報受信カウンタ５４ａも「４」に更新される。すると、子機７１は鳴動音の出力を停止する一方で、ＭＦＰ１０は、スピーカ２４から「出会った」の「で」を出力開始し（ｔ３時）、出力期間が２秒となるときに（ｔ４時になるときに）、「出会った」の「た」を出力する。これにより、ＭＦＰ１０は、２秒をかけて、「出会った」の小節を単独で出力し終える。
【０１０３】
なお、上述した動作に基づき、鳴動回数情報が「５」である場合は、子機５１のスピーカ６２から「ある日」が出力され、鳴動回数情報が「６」である場合は、子機７１のスピーカ６２から「森の中」が出力される。また、ＭＦＰ１０、子機５１および子機７１からの鳴動音の出力は、相手電話機からの呼出に、ＭＦＰ１０、子機５１および子機７１のいずれかで応答するまで繰り返し行われる。
【０１０４】
このように、鳴動タイミングテーブルメモリ１２ａからテーブルナンバー「２」の鳴動タイミングテーブルが選択されると、ＭＦＰ１０は、鳴動音の出力の順番が、ＭＦＰ１０→子機５１→子機７１→ＭＦＰ１０・・・となる制御を行う上に、各スピーカから出力される鳴動音によって曲名「森のくまさん」が一連の演奏として形成されるように、各鳴動音の出力を制御することができる。よって、ＭＦＰ１０、子機５１および子機７１の鳴動音が一斉に出力される場合であっても、それぞれが実際に鳴動するタイミングは重なることがないため、デジタルコードレス電話システム１の使用者に時として耳障り感を与える鳴動音を、一転して、その使用者に、リラックス感を与える鳴動音とすることができる。
【０１０５】
最後に、図４を参照して、テーブルナンバー「３」の鳴動タイミングテーブルが、デジタルコードレス電話システム１の使用者により選択された場合について説明する。まず、テーブルナンバー「３」の鳴動タイミングテーブルが選択されると、ＭＦＰ１０に識別情報「Ｓ」が割り当てられ、これが識別情報メモリ１３ｃに記憶される。また、子機５１に識別情報「Ａ」が割り当てられ、これが子機５１の識別情報メモリ５４ｃに記憶される。更に、子機７１に識別情報「Ｂ」が割り当てられ、これが子機７１の識別情報メモリ５４ｃに記憶される。
【０１０６】
そして、相手電話機からの呼出信号がＮＣＵ２８により検出され、鳴動回数カウンタ１３ａの値（鳴動回数情報）が「１」となると、ＭＦＰ１０は、鳴動タイミングテーブルメモリ１２ａに記憶されたテーブルナンバー「３」の鳴動タイミングテーブルを参照し、鳴動回数情報が「１」である列から、識別情報「Ｓ」に該当する鳴動音の内容を取得する。このとき、鳴動音の内容は「ベル音」であるので、ＭＦＰ１０は、「ベル音」をスピーカ２４から出力する。
【０１０７】
更に、ＭＦＰ１０から送信される鳴動回数情報「１」を子機５１が受信すると、子機５１は、鳴動回数情報受信カウンタ５４ａの値（鳴動回数情報）を「１」に設定して、鳴動タイミングテーブルメモリ５３ａに記憶されたテーブルナンバー「３」の鳴動タイミングテーブルを参照し、鳴動回数情報が「１」である列から、識別情報「Ａ」に該当する鳴動音の内容を取得する。このとき、鳴動音の内容は楽曲名「森のくまさん」の始めの小節である「ある日」であるので、「ある日」をスピーカ６２から出力する。
【０１０８】
なお、鳴動回数情報受信カウンタ５４ａの値（鳴動回数情報）が「１」のとき、鳴動回数情報が「１」である列の、識別情報「Ｂ」に該当する鳴動音の内容は「ＮＵＬＬ」であるので、子機７１は、鳴動音の出力を行わない。
【０１０９】
次に、鳴動回数カウンタ１３ａの値（鳴動回数情報）が「１」となってから２秒が経過すると、鳴動回数カウンタ１３ａが「２」に更新される。すると、ＭＦＰ１０は、鳴動タイミングテーブルメモリ１２ａに記憶されたテーブルナンバー「３」の鳴動タイミングテーブルを参照し、鳴動回数情報が「２」である列から、識別情報「Ｓ」に該当する鳴動音の内容を取得する。このとき、鳴動音の内容は「ベル音」であるので、ＭＦＰ１０は、「ベル音」をスピーカ２４から出力する。
【０１１０】
更に、ＭＦＰ１０から送信される鳴動回数情報「２」を子機７１が受信すると、子機７１は、鳴動回数情報受信カウンタ５４ａの値（鳴動回数情報）を「２」に設定して、鳴動タイミングテーブルメモリ５３ａに記憶されたテーブルナンバー「３」の鳴動タイミングテーブルを参照し、鳴動回数情報が「２」である列から、識別情報「Ｂ」に該当する鳴動音の内容を取得する。このとき、鳴動音の内容は楽曲名「森のくまさん」の始めの小節である「ある日」であるので、「ある日」をスピーカ６２から出力する。
【０１１１】
なお、鳴動回数情報受信カウンタ５４ａの値（鳴動回数情報）が「２」のとき、鳴動回数情報が「２」である列の、識別情報「Ａ」に該当する鳴動音の内容は「ＮＵＬＬ」であるので、子機５１は、鳴動音の出力を行わない。
【０１１２】
次に、鳴動回数カウンタ１３ａの値（鳴動回数情報）が「２」となってから２秒が経過すると、鳴動回数カウンタ１３ａが「３」に更新される。そして、鳴動回数情報受信カウンタ５４ａも「３」に更新される。このとき、鳴動回数情報が「３」である列の、識別情報「Ｓ」、識別情報「Ａ」および識別情報「Ｂ」に該当する鳴動音の内容は、いずれも「ＮＵＬＬ」であるので、ＭＦＰ１０、子機５１および子機７１は、いずれも鳴動音の出力を行わない。
【０１１３】
次に、鳴動回数カウンタ１３ａの値（鳴動回数情報）が「３」となってから２秒が経過すると、鳴動回数カウンタ１３ａが「４」に更新される。すると、ＭＦＰ１０は、鳴動タイミングテーブルメモリ１２ａに記憶されたテーブルナンバー「３」の鳴動タイミングテーブルを参照し、鳴動回数情報が「４」である列から、識別情報「Ｓ」に該当する鳴動音の内容を取得する。このとき、鳴動音の内容は「ベル音」であるので、ＭＦＰ１０は、「ベル音」をスピーカ２４から出力する。
【０１１４】
更に、ＭＦＰ１０から送信される鳴動回数情報「４」を子機５１が受信すると、子機５１は、鳴動回数情報受信カウンタ５４ａの値（鳴動回数情報）を「４」に設定して、鳴動タイミングテーブルメモリ５３ａに記憶されたテーブルナンバー「３」の鳴動タイミングテーブルを参照し、鳴動回数情報が「４」である列から、識別情報「Ａ」に該当する鳴動音の内容を取得する。このとき、鳴動音の内容は楽曲名「森のくまさん」の第二小節である「森の中」であるので、「森の中」をスピーカ６２から出力する。
【０１１５】
なお、鳴動回数情報受信カウンタ５４ａの値（鳴動回数情報）が「４」のとき、鳴動回数情報が「４」である列の、識別情報「Ｂ」に該当する鳴動音の内容は「ＮＵＬＬ」であるので、子機７１は、鳴動音の出力を行わない。
【０１１６】
次に、鳴動回数カウンタ１３ａの値（鳴動回数情報）が「４」となってから２秒が経過すると、鳴動回数カウンタ１３ａが「５」に更新される。すると、ＭＦＰ１０は、鳴動タイミングテーブルメモリ１２ａに記憶されたテーブルナンバー「３」の鳴動タイミングテーブルを参照し、鳴動回数情報が「５」である列から、識別情報「Ｓ」に該当する鳴動音の内容を取得する。このとき、鳴動音の内容は「ベル音」であるので、ＭＦＰ１０は、「ベル音」をスピーカ２４から出力する。
【０１１７】
更に、ＭＦＰ１０から送信される鳴動回数情報「５」を子機７１が受信すると、子機７１は、鳴動回数情報受信カウンタ５４ａの値（鳴動回数情報）を「５」に設定して、鳴動タイミングテーブルメモリ５３ａに記憶されたテーブルナンバー「３」の鳴動タイミングテーブルを参照し、鳴動回数情報が「５」である列から、識別情報「Ｂ」に該当する鳴動音の内容を取得する。このとき、鳴動音の内容は楽曲名「森のくまさん」の第二小節である「森の中」であるので、「森の中」をスピーカ６２から出力する。
【０１１８】
なお、鳴動回数情報受信カウンタ５４ａの値（鳴動回数情報）が「５」のとき、鳴動回数情報が「５」である列の、識別情報「Ａ」に該当する鳴動音の内容は「ＮＵＬＬ」であるので、子機５１は、鳴動音の出力を行わない。
【０１１９】
次に、鳴動回数カウンタ１３ａの値（鳴動回数情報）が「５」となってから２秒が経過すると、鳴動回数カウンタ１３ａが「６」に更新される。そして、鳴動回数情報受信カウンタ５４ａも「６」に更新される。このとき、鳴動回数情報が「６」である列の、識別情報「Ｓ」、識別情報「Ａ」および識別情報「Ｂ」に該当する鳴動音の内容は、いずれも「ＮＵＬＬ」であるので、ＭＦＰ１０、子機５１および子機７１は、いずれも鳴動音の出力を行わない。
【０１２０】
図４（ａ）で上述した動作を図４（ｂ）のタイミングチャートを用いて説明する。まず、相手電話機からの呼出信号がＮＣＵ２８により検出され、鳴動回数カウンタ１３ａの値（鳴動回数情報）が「１」となり、鳴動回数情報受信カウンタ５４ａも「１」となる。すると、ＭＦＰ１０は、スピーカ２４から「ベル音」を出力開始する。また、子機５１は、スピーカ６２から「ある日」の「あ」を出力開始し、出力期間が２秒となるときに（ｔ１時になるときに）、「ある日」の「ひ」を出力し終える。これにより、子機５１は、２秒をかけて、「ある日」の小節を出力する。
【０１２１】
次に、鳴動回数カウンタ１３ａの値（鳴動回数情報）が「１」となってから２秒が経過すると、鳴動回数カウンタ１３ａが「２」に更新される。そして、鳴動回数情報受信カウンタ５４ａも「２」に更新される。このとき、ＭＦＰ１０は、スピーカ２４から既に出力されている「ベル音」を継続して出力し、出力期間が２秒となるまで（ｔ２時になるまで）、「ベル音」を出力する。そして、子機５１は鳴動音の出力を停止する一方で、子機７１は、スピーカ６２から「ある日」の「あ」を出力開始し（ｔ１時）、出力期間が２秒となるときに（ｔ２時になるときに）、「ある日」の「ひ」を出力し終える。これにより、子機７１は、２秒をかけて、「ある日」の小節を出力する。
【０１２２】
次に、鳴動回数カウンタ１３ａの値（鳴動回数情報）が「２」となってから２秒が経過すると、鳴動回数カウンタ１３ａが「３」に更新される。そして、鳴動回数情報受信カウンタ５４ａも「３」に更新される。このとき、ＭＦＰ１０および子機７１は鳴動音の出力を停止する（ｔ２時）。そして、停止期間が２秒となるまで（ｔ３時となるまで）、その出力停止を継続する。なお、子機５１も鳴動音の出力の停止を継続する。
【０１２３】
次に、鳴動回数カウンタ１３ａの値（鳴動回数情報）が「３」となってから２秒が経過すると、鳴動回数カウンタ１３ａが「４」に更新される。そして、鳴動回数情報受信カウンタ５４ａも「４」に更新される。このとき、ＭＦＰ１０は、スピーカ２４から「ベル音」を出力開始する。また、子機５１は、スピーカ６２から「森の中」の「も」を出力開始し、出力期間が２秒となるときに（ｔ４時になるときに）、「森の中」の「か」を出力し終える。これにより、子機５１は、２秒をかけて、「森の中」の小節を出力する。なお、子機７１は鳴動音の出力の停止を継続する。
【０１２４】
次に、鳴動回数カウンタ１３ａの値（鳴動回数情報）が「４」となってから２秒が経過すると、鳴動回数カウンタ１３ａが「５」に更新される。そして、鳴動回数情報受信カウンタ５４ａも「５」に更新される。このときも、ＭＦＰ１０は、スピーカ２４から既に出力されている「ベル音」を継続して出力し、出力期間が２秒となるまで（ｔ５時になるまで）、「ベル音」を出力する。そして、子機５１は、鳴動音の出力を停止する一方で、子機７１は、スピーカ６２から「森の中」の「も」を出力開始し（ｔ４時）、出力期間が２秒となるときに（ｔ５時になるときに）、「森の中」の「か」を出力し終える。これにより、子機７１は、２秒をかけて、「森の中」の小節を出力する。
【０１２５】
最後に、鳴動回数カウンタ１３ａの値（鳴動回数情報）が「５」となってから２秒が経過すると、鳴動回数カウンタ１３ａが「６」に更新される。そして、鳴動回数情報受信カウンタ５４ａも「６」に更新される。このとき、ＭＦＰ１０および子機７１は鳴動音の出力を停止する（ｔ５時）。そして、停止期間が２秒となるまで（ｔ６時となるまで）、その出力停止を継続する。
【０１２６】
このように、ＭＦＰ１０により、鳴動タイミングテーブルメモリ１２ａからテーブルナンバー「３」の鳴動タイミングテーブルが選択されると、ＭＦＰ１０は、ベル音を４秒間継続して出力する一方で、子機５１および子機７１は、鳴動音の出力の順番が、子機５１→子機７１→子機５１・・・となる制御を行う上に、各スピーカから出力される鳴動音が、同一の小節を小節毎に追いかける形態となるように、即ち、輪唱を形成するように、各スピーカ６２から出力される各鳴動音を制御することができる。よって、ＭＦＰ１０の鳴動音を比較的良く用いられる「ベル音」に設定した上で、子機５１および子機７１の各鳴動音により輪唱を形成することができる。これにより、デジタルコードレス電話システム１の使用者が、ＭＦＰ１０のベル音は聞こえないが、子機５１の鳴動音および子機７１の鳴動音の両方が聞こえる場所に居る場合に、その使用者に対して、子機５１および子機７１の鳴動音により耳障り感を与えることなく、リラックス感を与えることができる。
【０１２７】
次に、図５および図６を参照して、図２〜図４で上述した動作を実現するＭＦＰ１０のメイン処理および子機５１のメイン処理について説明する。まず、図５を参照して、ＭＦＰ１０のメイン処理について説明する。図５は、ＭＦＰ１０のメイン処理を示したフローチャートである。
【０１２８】
このメイン処理は、ＭＦＰ１０の電源オン中、繰り返し実行される処理である。メイン処理では、まず、鳴動タイミングテーブルメモリ１２ａに記憶されたテーブルナンバー「１」〜「３」の鳴動タイミングテーブルからいずれか１の鳴動タイミングテーブルを選択する鳴動タイミングテーブル選択処理（Ｓ１）が実行される。この鳴動タイミングテーブルは、例えば、ＭＦＰ１０の使用者がＬＣＤ１６に表示されるメニューから鳴動音の設定を選択することで、その選択が可能となる。本実施形態では、鳴動音として、「森のくまさん」が選択された例を示している（図２〜図４参照）。なお、本実施形態のデジタルコードレス電話システム１においては、特に、ＭＦＰ１０、子機５１および子機７１において、「森のくまさん」を輪唱のように出力させたいのか、一連の演奏として出力させたいのか等を、メニューの設定項目の中で、「輪唱」、「演奏」といった選択肢を設けることで、使用者が希望する鳴動音の出力形態を選択しやすいように構成することも可能である。
【０１２９】
Ｓ１の処理で、１の鳴動タイミングテーブルが選択されると、選択された鳴動タイミングテーブルに記憶されたテーブルナンバーを、テーブルナンバーメモリ１４ａに記憶すると共に、選択された鳴動タイミングテーブルに記憶されたＭＦＰ１０に対応する識別情報を、識別情報メモリ１３ｃに記憶する（Ｓ２）。そして、選択された鳴動タイミングテーブルに記憶されたテーブルナンバーおよび各子機に対応する識別情報を、子機５１および子機７１へ送信する（Ｓ２）。
【０１３０】
例えば、Ｓ１の処理で、図２に示す鳴動タイミングテーブルが選択された場合には、Ｓ２の処理で、テーブルナンバー「１」をテーブルナンバーメモリ１４ａに記憶すると共に、識別情報「Ｓ」を識別情報メモリ１３ｃに記憶する。そして、Ｓ２の処理で、テーブルナンバー「１」および識別情報「Ａ」を子機５１へ送信すると共に、テーブルナンバー「１」および識別情報「Ｂ」を子機７１へ送信する。なお、子機５１と子機７１とに対応する識別情報は、ＭＦＰ１０から各子機へＳ２の処理で一斉に送信されるが、ＭＦＰ１０は、各子機に予め設定してある認証情報（各子機固有のＩＤ等）を識別情報に付加して送信しているので、各子機が他の子機の識別情報を誤って受信することはない。
【０１３１】
その後、鳴動回数カウンタ１３ａをゼロに設定し（Ｓ３）、鳴動タイマ１３ｂをリセットする（Ｓ４）。これにより、メイン処理開始後の初期設定が完了する。なお、本実施形態では、２秒間隔で鳴動回数カウンタ１３ａを加算することとしているため、鳴動タイマ１３ｂをリセットする場合には、「２秒」が値として設定される。Ｓ４の処理後、相手電話機からの呼出信号をＮＣＵ２８で検出したか否かを判定する（Ｓ５）。相手電話機からの呼出信号を検出していない場合には（Ｓ５：Ｎｏ）、Ｓ５の処理を繰り返し実行する。一方、相手電話機からの呼出信号を検出した場合には（Ｓ５：Ｙｅｓ）、鳴動回数カウンタ１３ａの値を１加算して（Ｓ６）、鳴動回数カウンタ１３ａの値を鳴動回数情報として、鳴動信号と共に子機５１および子機７１へ送信する（Ｓ７）。
【０１３２】
その後、選択された鳴動タイミングテーブルに基づいて（テーブルナンバーメモリ１４ａに記憶されたテーブルナンバーに対応する鳴動タイミングテーブルに基づいて）、スピーカ２４から鳴動音を出力する（Ｓ８）。このＳ８の処理では、例えば、図２（ａ）に示すテーブルナンバー「１」の鳴動タイミングテーブルが選択され、鳴動回数カウンタ１３ａの値（鳴動回数情報）が「１」の場合には、図２（ｂ）に示す通り、ＭＦＰ１０は、スピーカ２４から「ある日」の「あ」を出力開始する。
【０１３３】
その後、鳴動タイマ１３ｂの値を、呼出信号の検出からの経過時間（もしくは、Ｓ７の処理を行った後からの経過時間）に基づいて減算し（Ｓ９）、相手電話機からの呼出信号に応答することを示す応答信号が操作キー１５の押下等により検出されたか否かが判定される（Ｓ１０）。応答信号が検出されない場合には（Ｓ１０：Ｎｏ）、子機５１または子機７１から応答信号を受信したか否かが判定される（Ｓ１１）。子機５１および子機７１の何れかから応答信号を受信していない場合には（Ｓ１１：Ｎｏ）、鳴動タイマ１３ｂの値がゼロであるか否か、即ち、鳴動回数カウンタ１３ａの値が更新されてから（鳴動回数情報が更新されてから）、２秒が経過したか否かが判定される（Ｓ１２）。鳴動タイマ１３ｂの値がゼロでない場合には（Ｓ１２：Ｎｏ）、鳴動回数カウンタ１３ａの値が更新されてから（鳴動回数情報が更新されてから）、未だ２秒が経過していないので、Ｓ８〜Ｓ１２の処理を繰り返し実行する。このように、鳴動回数カウンタ１３ａの値が更新されてから（鳴動回数情報が更新されてから）、未だ２秒が経過していなければ、Ｓ８の処理を繰り返し実行するので、例えば、Ｓ１の処理で、図２（ａ）に示すテーブルナンバー「１」の鳴動タイミングテーブルが選択された場合には、図２（ｂ）に示す通り、ＭＦＰ１０は、スピーカ２４から「ある日」の「ひ」までを継続して出力することができる。
【０１３４】
一方、鳴動タイマ１３ｂの値がゼロである場合には（Ｓ１２：Ｙｅｓ）、鳴動回数カウンタ１３ａの値が更新されてから（鳴動回数情報が更新されてから）、２秒が経過しているので、鳴動タイマ１３ｂをリセットして（Ｓ２０）、Ｓ６の処理に戻り、鳴動回数カウンタ１３ａの値を１加算する（Ｓ６）。そして、Ｓ７の処理で、１加算した鳴動回数カウンタ１３ａの値を鳴動回数情報として、鳴動信号と共に子機５１および子機７１へ送信した後、Ｓ８の処理が実行される。なお、鳴動回数カウンタ１３ａが１加算された後のＳ８の処理では、例えば、図２（ａ）に示すテーブルナンバー「１」の鳴動タイミングテーブルが選択され、鳴動回数カウンタ１３ａの値（鳴動回数情報）が「２」の場合には、図２（ｂ）に示す通り、ＭＦＰ１０は、スピーカ２４からの鳴動音の出力を停止する。
【０１３５】
このように、鳴動回数カウンタ１３ａ、鳴動タイマ１３ｂおよびテーブルナンバーメモリ１４ａ（選択された１の鳴動タイミングテーブル）を用いることで、ＭＦＰ１０は、鳴動音を間欠でスピーカ２４から出力することができる。
【０１３６】
Ｓ１０の処理で、操作キー１５の押下等により応答信号が検出された場合には（Ｓ１０：Ｙｅｓ）、相手電話機からの呼出に応答したことを示す応答信号を子機５１および子機７１へ送信する（Ｓ１３）。その後、スピーカ２４から出力されている鳴動音の出力を停止して（Ｓ１４）、相手電話機との通話を行う既知の通話処理を実行する（Ｓ１５）。
【０１３７】
その後、通話が終了したか否かを判定し（Ｓ１６）、相手電話機との通話が未だ終了していない場合には（Ｓ１６：Ｎｏ）、Ｓ１５の処理を繰り返し実行する。一方、相手電話機との通話が終了した場合には（Ｓ１６：Ｙｅｓ）、相手電話機との通話が終了したことを示す終了信号を子機５１および子機７１へ送信して（Ｓ１７）、このメイン処理を終了する。
【０１３８】
また、Ｓ１１の処理で、子機５１および子機７１の何れかから応答信号を受信した場合には（Ｓ１１：Ｙｅｓ）、スピーカ２４から出力されている鳴動音の出力を停止する（Ｓ１８）。そして、相手電話機との通話が終了したことを示す終了信号を、通話が行われている子機５１または子機７１から受信したか否かが判定される（Ｓ１９）。終了信号を受信していない場合には（Ｓ１９：Ｎｏ）、Ｓ１９の処理を繰り返し実行する。一方、終了信号を受信した場合には（Ｓ１９：Ｙｅｓ）、このメイン処理を終了する。
【０１３９】
次に、図６を参照して、子機５１のメイン処理について説明する。図６は、子機５１のメイン処理を示したフローチャートである。なお、子機７１のメイン処理については、子機５１のメイン処理と同一であるので、その説明を省略する。
【０１４０】
このメイン処理は、子機５１の電源オン中、繰り返し実行される処理である。メイン処理では、まず、ＭＦＰ１０から送信されたテーブルナンバーおよび識別情報を受信したか否かが判定される（Ｓ５１）。テーブルナンバーおよび識別情報を受信していない場合には（Ｓ５１：Ｎｏ）、Ｓ５１の処理が繰り返し実行される。一方、テーブルナンバーおよび識別情報が受信された場合には（Ｓ５１：Ｙｅｓ）、受信したテーブルナンバーをテーブルナンバーメモリ５５ａに記憶すると共に、受信した識別情報を識別情報メモリ５４ｃに記憶する（Ｓ５２）。
【０１４１】
その後、鳴動回数情報受信カウンタ５４ａをゼロに設定し（Ｓ５３）、鳴動タイマ５４ｂをリセットする（Ｓ５４）。これにより、メイン処理開始後の初期設定が完了する。なお、本実施形態では、２秒間隔で鳴動回数情報受信カウンタ５４ａを加算することとしているため、鳴動タイマ５４ｂをリセットする場合には、「２秒」が値として設定される。Ｓ５４の処理後、鳴動信号および鳴動回数情報を受信したか否かを判定する（Ｓ５５）。鳴動信号および鳴動回数情報を受信していない場合には（Ｓ５５：Ｎｏ）、Ｓ５５の処理を繰り返し実行する。一方、鳴動信号および鳴動回数情報を受信した場合には（Ｓ５５：Ｙｅｓ）、受信した鳴動回数情報の示す値に、鳴動回数情報受信カウンタ５４ａの値を設定する（Ｓ５６）。
【０１４２】
このように、Ｓ５６の処理においては、受信した鳴動回数情報の示す値に、鳴動回数情報受信カウンタ５４ａの値を設定するので、子機５１が鳴動回数情報および鳴動信号を受信し損ねた場合でも、２秒後にＭＦＰ１０から送信される鳴動回数情報および鳴動信号を受信することで、子機５１の鳴動回数情報受信カウンタ５４ａの値を、ＭＦＰ１０の鳴動回数カウンタ１３ａの値に整合させることができる。
【０１４３】
Ｓ５６の処理後、選択された鳴動タイミングテーブルに基づいて（テーブルナンバーメモリ５５ａに記憶されたテーブルナンバーに対応する鳴動タイミングテーブルに基づいて）、スピーカ６２から鳴動音を出力する（Ｓ５７）。このＳ５７の処理では、例えば、テーブルナンバーメモリ５５ａに記憶したテーブルナンバーが「１」であり、鳴動回数情報受信カウンタ５４ａの値（鳴動回数情報）が「１」の場合には、図２に示す通り、子機５１は、鳴動音の出力を停止する。また、例えば、テーブルナンバーメモリ５５ａに記憶したテーブルナンバーが「１」であり、鳴動回数情報受信カウンタ５４ａの値（鳴動回数情報）が「２」の場合には、図２に示す通り、子機５１は、スピーカ６２から「ある日」の「あ」を出力開始する。
【０１４４】
その後、鳴動タイマ５４ｂを減算する（Ｓ５８）。ここでは、Ｓ５５の処理で鳴動信号を受信してからの経過時間に基づいて、鳴動タイマ５４ｂの値を減算する。続いて、相手電話機からの呼出に応答する応答信号が操作キー５６の押下等により検出されたか否かが判定される（Ｓ５９）。応答信号が検出されない場合には（Ｓ５９：Ｎｏ）、ＭＦＰ１０または子機７１から応答信号を受信したか否かが判定される（Ｓ６０）。ＭＦＰ１０および子機７１の何れかから応答信号を受信していない場合には（Ｓ６０：Ｎｏ）、鳴動タイマ５４ｂの値がゼロであるか否か、即ち、鳴動回数情報受信カウンタ５４ａの値が更新されてから（鳴動回数情報が更新されてから）、２秒が経過したか否かが判定される（Ｓ６１）。鳴動タイマ５４ｂの値がゼロでない場合には（Ｓ６１：Ｎｏ）、鳴動回数情報受信カウンタ５４ａの値が更新されてから（鳴動回数情報が更新されてから）、未だ２秒が経過していないので、Ｓ５７〜Ｓ６１の処理を繰り返し実行する。このように、鳴動回数情報受信カウンタ５４ａの値が更新されてから（鳴動回数情報が更新されてから）、未だ２秒が経過していなければ、Ｓ５７の処理を繰り返し実行するので、例えば、テーブルナンバーメモリ５５ａに記憶したテーブルナンバーが「１」であり、鳴動回数情報受信カウンタ５４ａの値（鳴動回数情報）が「２」の場合には、図２に示す通り、子機５１は、スピーカ６２から「ある日」の「ひ」までを継続して出力することができる。
【０１４５】
一方、鳴動タイマ５４ｂの値がゼロである場合には（Ｓ６１：Ｙｅｓ）、鳴動回数情報受信カウンタ５４ａの値が更新されてから（鳴動回数情報が更新されてから）、２秒が経過しているので、Ｓ５４の処理に戻り、鳴動タイマ５４ｂをリセットした後、鳴動信号および鳴動回数情報を受信したか否かが再び判定される（Ｓ５５）。そして、鳴動信号および鳴動回数情報を再び受信すると（Ｓ５５：Ｙｅｓ）、鳴動回数情報受信カウンタ５４ａの値を更新し（Ｓ５６）、Ｓ５７の処理を再び実行する。なお、鳴動回数情報受信カウンタ５４ａの値が更新された後のＳ５７の処理では、例えば、Ｓ５２の処理でテーブルナンバーメモリ５５ａに記憶したテーブルナンバーが「１」であり、鳴動回数情報受信カウンタ５４ａの値（鳴動回数情報）が「３」の場合には、図２に示す通り、子機５１は、スピーカ６２からの鳴動音の出力を停止する。
【０１４６】
このように、鳴動回数情報受信カウンタ５４ａ、鳴動タイマ５４ｂおよびテーブルナンバーメモリ５５ａ（選択された１の鳴動タイミングテーブル）を用いることで、子機５１は、鳴動音を間欠でスピーカ６２から出力することができる。
【０１４７】
Ｓ５９の処理で、操作キー５６の押下等により応答信号が検出された場合には（Ｓ５９：Ｙｅｓ）、相手電話機からの呼出に応答したことを示す応答信号をＭＦＰ１０および子機７１へ送信する（Ｓ６２）。その後、スピーカ６２から出力されている鳴動音の出力を停止して（Ｓ６３）、相手電話機との通話を行う既知の通話処理を実行する（Ｓ６４）。
【０１４８】
その後、通話が終了したか否かを判定し（Ｓ６５）、相手電話機との通話が未だ終了していない場合には（Ｓ６５：Ｎｏ）、Ｓ６４の処理を繰り返し実行する。一方、相手電話機との通話が終了した場合には（Ｓ６５：Ｙｅｓ）、相手電話機との通話が終了したことを示す終了信号をＭＦＰ１０および子機７１へ送信して（Ｓ６６）、このメイン処理を終了する。
【０１４９】
また、Ｓ６０の処理で、ＭＦＰ１０および子機７１の何れかから応答信号を受信した場合には（Ｓ６０：Ｙｅｓ）、スピーカ６２から出力されている鳴動音の出力を停止する（Ｓ６７）。そして、相手電話機との通話が終了したことを示す終了信号を、通話が行われているＭＦＰ１０または子機７１から受信したか否かが判定される（Ｓ６８）。終了信号を受信していない場合には（Ｓ６８：Ｎｏ）、Ｓ６８の処理を繰り返し実行する。一方、終了信号を受信した場合には（Ｓ６８：Ｙｅｓ）、このメイン処理を終了する。
【０１５０】
上述した通り、本実施形態におけるデジタルコードレス電話システム１によれば、鳴動タイミングテーブルメモリ１２ａからテーブルナンバー「１」またはテーブルナンバー「２」の鳴動タイミングテーブルが選択されると、ＭＦＰ１０、子機５１および子機７１から出力される鳴動音を重ねることなく単独音に設定することができる。よって、デジタルコードレス電話システム１の使用者が、ＭＦＰ１０の鳴動音のみならず、子機５１および子機７１の鳴動音が聞こえる位置に居る場合であっても、各鳴動音による合成音が形成されることがないので、使用者に対して耳障り感を与えることなく、鳴動音を出力することができる。
【０１５１】
また、本実施形態におけるデジタルコードレス電話システム１によれば、鳴動タイミングテーブルメモリ１２ａに記憶された鳴動タイミングテーブルの何れが選択されても、子機５１および子機７１から出力される鳴動音を重ねることなく単独音に設定することができる。よって、本来設置されるべき場所に子機５１や子機７１が置いてない場合であっても、各子機から出力された単独の鳴動音を頼りに、デジタルコードレス電話システム１の使用者は、各子機が現在置いてある場所を特定することができる。
【０１５２】
次に、図７〜図１０を参照して、第２実施形態におけるデジタルコードレス電話システム１００について説明する。まず、図７を参照して、デジタルコードレス電話システム１００の電気的構成について説明する。図７は、ＭＦＰ１１０および子機１５１（子機１７１）から構成されるデジタルコードレス電話システム１００の電気的構成を示すブロック図である。なお、第２実施形態におけるデジタルコードレス電話システム１００では、相手電話機からの呼出信号をＭＦＰ１１０により検出した場合に、ＭＦＰ１１０は、ＭＦＰ１１０による鳴動音の出力または停止を制御すると共に、子機１５１（子機１７１）へ、鳴動音の出力または停止を切り換える切換信号を送信して、子機１５１（子機１７１）による鳴動音の出力または停止を制御する。よって、第２実施形態におけるデジタルコードレス電話システム１００によれば、ＭＦＰ１１０による鳴動音の出力または停止に加え、子機１５１（子機１７１）による鳴動音の出力または停止を、ＭＦＰ１１０によって制御することができる。従って、ＭＦＰ１１０による鳴動音の出力または停止と、子機１５１（子機１７１）による鳴動音の出力または停止とが非同期となることを（ＭＦＰ１１０による鳴動音の出力または停止と、子機１５１（子機１７１）による鳴動音の出力または停止とが時間経過と共にずれていくことを）防止することができる。
【０１５３】
なお、第２実施形態におけるデジタルコードレス電話システム１００の電気的構成においては、第１実施形態におけるデジタルコードレス電話システム１に使用されたＭＦＰ１０内のＲＡＭ１３の内容と、子機５１（子機７１）内のＲＯＭ５３およびＲＡＭ５４の内容を一部変更したものであるので、第１実施形態におけるデジタルコードレス電話システム１と同一部分については同一の符号を付し、その説明を省略した上で、変更点について説明を行う。また、第２実施形態におけるＭＦＰ１１０から各子機へ送信される切換信号は、第１実施形態におけるＭＦＰ１０から各子機へ送信される鳴動信号に相当する。
【０１５４】
まず、ＭＦＰ１１０の電気的構成について説明する。ＭＦＰ１１０は、第１実施形態のＭＦＰ１０に対して、識別情報検出メモリ１３ｄをＲＡＭ１３に新たに設けている。識別情報検出メモリ１３ｄは、鳴動音の出力を制御する機器がＭＦＰ１１０、子機１５１または子機１７１の何れであるかを示す識別情報を記憶するメモリである。識別情報検出メモリ１３ｄに識別情報が記憶されると、ＭＦＰ１１０は、その記憶された識別情報に対応する機器（ＭＦＰ１１０、子機１５１または子機１７１の何れか）が、鳴動音の出力を行う制御対象であると判定する。
【０１５５】
次に、子機１５１について説明する。なお、子機１７１は、子機１５１と同一の構成であるので、電気的構成についての説明を省略する。
【０１５６】
子機１５１は、第１実施形態の子機５１に対して、ＲＯＭ５３に設けられた鳴動タイミングテーブルメモリ５３ａを削除し、音情報メモリ５３ｂを新たに設けている。音情報メモリ５３ｂは、スピーカ６２から出力される鳴動音の情報（鳴動音の内容）を記憶するメモリである。この音情報メモリ５３ｂには、鳴動タイミングテーブルメモリ５３ａに記憶される鳴動タイミングテーブル（図２〜図４参照）とは異なり、鳴動回数情報および識別情報に対応付けられることなく、鳴動音の内容だけが記憶されている（鳴動回数情報および識別情報は記憶されていない）。
【０１５７】
また、子機１５１は、第１実施形態の子機５１に対して、ＲＡＭ５４に設けられた鳴動回数情報受信カウンタ５４ａおよび鳴動タイマ５４ｂを削除し、音出力フラグ５４ｄを新たに設けている。音出力フラグ５４ｄは、スピーカ６２からの鳴動音の出力および停止を制御するフラグである。音出力フラグ５４ｄがオンになると、そのオンの期間中、スピーカ６２から鳴動音が出力される。一方、音出力フラグ５４ｄがオフとなると、鳴動音の出力は停止される。なお、音出力フラグ５４ｄは、ＭＦＰ１１０から送信された切換信号を受信する度にオンオフの切り換えが行われる。
【０１５８】
次に、図８を参照して、ＭＦＰ１１０の鳴動タイミングテーブルメモリ１２ａに記憶される鳴動タイミングテーブルについて説明する。図８（ａ）は、テーブルナンバー「４」の鳴動タイミングテーブルを模式的に示した図であり、図８（ｂ）は、テーブルナンバー「４」の鳴動タイミングテーブルに基づいて実行される、ＭＦＰ１１０、子機１５１および子機１７１の各鳴動音の出力タイミングを示したタイミングチャートである。
【０１５９】
図８（ａ）に示す通り、鳴動タイミングテーブルメモリ１２ａに記憶されるテーブルナンバー「４」の鳴動タイミングテーブルは、鳴動回数情報、識別情報および鳴動音の内容から構成されている。
【０１６０】
テーブルナンバー「４」の鳴動タイミングテーブルが、デジタルコードレス電話システム１００の使用者によって選択されると、ＭＦＰ１１０に識別情報「Ｓ」が割り当てられ、これが識別情報メモリ１３ｃに記憶される。また、子機１５１に識別情報「Ａ」が割り当てられ、これが子機１５１の識別情報メモリ５４ｃに記憶される。更に、子機１７１に識別情報「Ｂ」が割り当てられ、これが子機１７１の識別情報メモリ５４ｃに記憶される。
【０１６１】
そして、相手電話機からの呼出信号がＮＣＵ２８により検出され、鳴動回数カウンタ１３ａの値（鳴動回数情報）が「１」となると、ＭＦＰ１１０は、鳴動タイミングテーブルメモリ１２ａに記憶されたテーブルナンバー「４」の鳴動タイミングテーブルを参照し、鳴動回数情報が「１」である列から、鳴動音の内容、即ち、ベル音が記憶されている識別情報を検出し、検出した識別情報を識別情報検出メモリ１３ｄに記憶する。このとき、ベル音が記憶されている識別情報は「Ｓ」であるので、ＭＦＰ１０は、識別情報検出メモリ１３ｄに識別情報「Ｓ」を記憶する。そして、ＭＦＰ１０は、識別情報検出メモリ１３ｄに記憶された識別情報が「Ｓ」であるので、鳴動音の出力を行う制御対象が自機であると判定して、スピーカ２４からベル音を出力する。
【０１６２】
次に、鳴動回数カウンタ１３ａの値（鳴動回数情報）が「１」となってから２秒が経過すると、鳴動回数カウンタ１３ａが「２」に更新される。すると、ＭＦＰ１０は、鳴動タイミングテーブルメモリ１２ａに記憶されたテーブルナンバー「４」の鳴動タイミングテーブルを参照し、鳴動回数情報が「２」である列から、ベル音が記憶されている識別情報を検出し、検出した識別情報を識別情報検出メモリ１３ｄに記憶する。このとき、ベル音が記憶されている識別情報は「Ａ」であるので、ＭＦＰ１０は、識別情報検出メモリ１３ｄに識別情報「Ａ」を記憶する。そして、ＭＦＰ１０は、識別情報検出メモリ１３ｄに記憶された識別情報が「Ａ」であるので、鳴動音の出力を行う制御対象が子機１５１であると判定して、子機１５１へ切換信号を送信する。これにより、子機１５１は、スピーカ６２からベル音を出力する。
【０１６３】
そして、鳴動回数カウンタ１３ａの値（鳴動回数情報）が「２」となってから０．５秒が経過すると、ＭＦＰ１１０は、鳴動回数カウンタ１３ａの値が「１」のときにスピーカ２４から出力開始したベル音を出力停止する。これにより、ＭＦＰ１１０のスピーカ２４から出力されるベル音を、子機１５１のスピーカ６２から出力されるベル音に重畳させた後に停止することができる。
【０１６４】
次に、鳴動回数カウンタ１３ａの値（鳴動回数情報）が「２」となってから２秒が経過すると、鳴動回数カウンタ１３ａが「３」に更新される。すると、ＭＦＰ１０は、鳴動タイミングテーブルメモリ１２ａに記憶されたテーブルナンバー「４」の鳴動タイミングテーブルを参照し、鳴動回数情報が「３」である列から、ベル音が記憶されている識別情報を検出し、検出した識別情報を識別情報検出メモリ１３ｄに記憶する。このとき、ベル音が記憶されている識別情報は「Ｂ」であるので、ＭＦＰ１０は、識別情報検出メモリ１３ｄに識別情報「Ｂ」を記憶する。そして、ＭＦＰ１０は、識別情報検出メモリ１３ｄに記憶された識別情報が「Ｂ」であるので、鳴動音の出力を行う制御対象が子機１７１であると判定して、子機１７１へ切換信号を送信する。これにより、子機１７１は、スピーカ６２からベル音を出力する。
【０１６５】
そして、鳴動回数カウンタ１３ａの値（鳴動回数情報）が「３」となってから０．５秒が経過すると、ＭＦＰ１１０は、鳴動回数カウンタ１３ａの値が「２」のときに切換信号を送信した子機１５１へ、再び切換信号を送信する。すると、子機１５１は、スピーカ６２から出力しているベル音を出力停止する。これにより、子機１５１のスピーカ６２から出力されるベル音を、子機１７１のスピーカ６２から出力されるベル音に重畳させた後に停止することができる。
【０１６６】
次に、鳴動回数カウンタ１３ａの値（鳴動回数情報）が「３」となってから２秒が経過すると、鳴動回数カウンタ１３ａの値が「４」に更新される。すると、ＭＦＰ１０は、鳴動タイミングテーブルメモリ１２ａに記憶されたテーブルナンバー「４」の鳴動タイミングテーブルを参照し、鳴動回数情報が「４」である列から、ベル音が記憶されている識別情報を検出し、検出した識別情報を識別情報検出メモリ１３ｄに記憶する。このとき、ベル音が記憶されている識別情報は「Ｓ」であるので、ＭＦＰ１０は、識別情報検出メモリ１３ｄに識別情報「Ｓ」を記憶する。そして、ＭＦＰ１０は、識別情報検出メモリ１３ｄに記憶された識別情報が「Ｓ」であるので、鳴動音の出力を行う制御対象が自機であると判定して、スピーカ２４からベル音を出力する。
【０１６７】
そして、鳴動回数カウンタ１３ａの値（鳴動回数情報）が「４」となってから０．５秒が経過すると、ＭＦＰ１１０は、鳴動回数カウンタ１３ａの値が「３」のときに切換信号を送信した子機１７１へ、再び切換信号を送信する。すると、子機１７１は、スピーカ６２から出力しているベル音を出力停止する。これにより、子機１７１のスピーカ６２から出力されるベル音を、ＭＦＰ１１０のスピーカ２４から出力されるベル音に重畳させた後に停止することができる。
【０１６８】
なお、上述した動作に基づき、鳴動回数カウンタ１３ａの値（鳴動回数情報）が「５」である場合は、鳴動回数カウンタ１３ａの値が「２」である場合と同一の動作が実行され、鳴動回数カウンタ１３ａの値（鳴動回数情報）が「６」である場合は、鳴動回数カウンタ１３ａの値が「３」である場合と同一の動作が、ＭＦＰ１１０、子機１５１および子機１７１で実行される。
【０１６９】
図８（ａ）で上述した動作を図８（ｂ）のタイミングチャートを用いて説明する。まず、相手電話機からの呼出信号がＮＣＵ２８により検出され、鳴動回数カウンタ１３ａの値（鳴動回数情報）が「１」となると、ＭＦＰ１０は、スピーカ２４からベル音を出力開始する。次に、鳴動回数カウンタ１３ａの値が「１」となってから２秒が経過すると、鳴動回数カウンタ１３ａの値「２」に更新される。このとき、ＭＦＰ１１０は、子機１５１へ切換信号を送信する。すると、子機１５１は、スピーカ６２からベル音を出力開始する（ｔ１時）。そして、鳴動回数カウンタ１３ａの値が「２」となってから０．５秒が経過すると、ＭＦＰ１０は、ベル音の出力を停止する（ｔ２時）。これにより、ＭＦＰ１０は、鳴動回数カウンタ１３ａの値が「１」となってから２秒間、ベル音を単独で出力する。
【０１７０】
次に、鳴動回数カウンタ１３ａの値（鳴動回数情報）が「２」となってから２秒が経過すると、鳴動回数カウンタ１３ａの値が「３」に更新される。このとき、ＭＦＰ１１０は、子機１７１へ切換信号を送信する。すると、子機１７１は、スピーカ６２からベル音を出力開始する（ｔ３時）。そして、鳴動回数カウンタ１３ａの値が「３」となってから０．５秒が経過すると、ＭＦＰ１１０は、子機１５１へ切換信号を送信する。すると、子機１５１は、ベル音の出力を停止する（ｔ４時）。これにより、子機１５１は、鳴動回数情報が「２」となってから２秒間、ベル音を単独で出力する。
【０１７１】
次に、鳴動回数カウンタ１３ａの値（鳴動回数情報）が「３」となってから２秒が経過すると、鳴動回数カウンタ１３ａの値が「４」に更新される。すると、ＭＦＰ１１０は、スピーカ２４からベル音を出力開始する（ｔ５時）。そして、鳴動回数カウンタ１３ａの値が「４」となってから０．５秒が経過すると、ＭＦＰ１１０は、子機１７１へ切換信号を送信する。すると、子機１７１は、ベル音の出力を停止する（ｔ６時）。これにより、子機１７１は、鳴動回数カウンタ１３ａの値が「３」となってから２秒間、ベル音を単独で出力する。
【０１７２】
なお、上述した動作に基づき、鳴動回数カウンタ１３ａの値（鳴動回数情報）が「５」である場合は、鳴動回数カウンタ１３ａの値が「２」である場合と同一の動作が実行され、鳴動回数カウンタ１３ａの値が「６」である場合は、鳴動回数カウンタ１３ａの値が「３」である場合と同一の動作が、ＭＦＰ１１０、子機１５１および子機１７１で実行される。なお、ＭＦＰ１１０、子機１５１および子機１７１からのベル音の出力は、相手電話機からの呼出に応答するまで繰り返し行われる。
【０１７３】
このように、鳴動タイミングテーブルメモリ１２ａからテーブルナンバー「４」の鳴動タイミングテーブルが、デジタルコードレス電話システム１００の使用者によって選択されると、ＭＦＰ１１０は、ベル音の出力の順番が、ＭＦＰ１１０→子機１５１→子機１７１→ＭＦＰ１１０・・・となる制御を行う上に、各スピーカから出力される各ベル音を一部重畳させつつも、各ベル音が単独で出力される期間が発生するように制御する。よって、ＭＦＰ１１０、子機１５１および子機１７１の各スピーカからベル音がそれぞれ出力されても、デジタルコードレス電話システム１１０の使用者に与える耳障り感を低減することができる。
【０１７４】
次に、図９および図１０を参照して、図８で上述した動作を実現するＭＦＰ１１０のメイン処理および子機１５１（子機１７１）のメイン処理について説明する。まず、図９を参照して、ＭＦＰ１１０のメイン処理について説明する。図９は、ＭＦＰ１１０のメイン処理を示したフローチャートである。
【０１７５】
このメイン処理は、ＭＦＰ１１０の電源オン中、繰り返し実行される処理である。メイン処理では、まず、Ｓ１１１〜Ｓ１１４の処理が実行される。なお、Ｓ１１１〜Ｓ１１４の処理は、第１実施形態のＭＦＰ１０におけるメイン処理内のＳ１〜Ｓ４の処理と同一の処理であるので、その説明を省略する。ただし、以後の説明については、発明の理解を容易にするために、鳴動タイミングテーブル選択処理（Ｓ１１１）の処理で、図８に示すテーブルナンバー「４」の鳴動タイミングテーブルが選択されたものとして説明を行う。
【０１７６】
Ｓ１１１〜Ｓ１１４の処理後、識別情報検出メモリ１３ｄをクリアする（Ｓ１１５）。これにより、メイン処理開始後の初期設定が完了する。
【０１７７】
次に、相手電話機からの呼出信号をＮＣＵ２８で検出したか否かを判定する（Ｓ１１６）。相手電話機からの呼出信号を検出していない場合には（Ｓ１１６：Ｎｏ）、Ｓ１１６の処理を繰り返し実行する。一方、相手電話機からの呼出信号を検出した場合には（Ｓ１１６：Ｙｅｓ）、鳴動回数カウンタ１３ａの値を１加算して（Ｓ１１７）、選択された鳴動タイミングテーブルを参照して（テーブルナンバーメモリ１４ａに記憶されたテーブルナンバーに対応する鳴動タイミングテーブルを参照して）、鳴動回数カウンタ１３ａの値が示す列に、即ち、鳴動回数情報が示す列に、鳴動音の内容が記憶されている識別情報を検出し、その検出した識別情報を識別情報メモリ１３ｄに記憶する（Ｓ１１８）。
【０１７８】
このＳ１１８の処理では、ＭＦＰ１１０は、図８に示すテーブルナンバー「４」の鳴動タイミングテーブルを参照する。そして、鳴動回数情報（鳴動回数カウンタ１３ａの値）が「１」であれば、識別情報「Ｓ」を検出して、識別情報メモリ１３ｄに記憶する。また、鳴動回数情報（鳴動回数カウンタ１３ａの値）が「２」であれば、識別情報「Ａ」を検出して、識別情報メモリ１３ｄに記憶する。
【０１７９】
Ｓ１１８の処理後、Ｓ１１９〜Ｓ１２３の処理に移行する。なお、Ｓ１１９〜Ｓ１２３の処理は、ＭＦＰ１１０、子機１５１または子機１７１の各スピーカからベル音を出力させるための処理である。
【０１８０】
Ｓ１１９の処理では、識別情報検出メモリ１３ｄに記憶された識別情報が、「Ｓ」であるか否かが判定される（Ｓ１１９）。識別情報検出メモリ１３ｄに記憶された識別情報が「Ｓ」である場合には（Ｓ１１９：Ｙｅｓ）、鳴動音の出力を行う制御対象が自機であると判定して、スピーカ２４からベル音（鳴動音）を出力する（Ｓ１２０）。なお、Ｓ１２０の処理が実行されると、ベル音の出力の停止が行われるまで、ＭＦＰ１１０は、スピーカ２４からベル音を継続して出力する。
【０１８１】
一方、識別情報検出メモリ１３ｄに記憶された識別情報が「Ｓ」でない場合には（Ｓ１１９：Ｎｏ）、識別情報検出メモリ１３ｄに記憶された識別情報が「Ａ」であるか否かが判定される（Ｓ１２１）。識別情報検出メモリ１３ｄに記憶された識別情報が「Ａ」である場合には（Ｓ１２１：Ｙｅｓ）、鳴動音の出力を行う制御対象が子機１５１であると判定して、識別情報「Ａ」と共に、切換信号を各子機へ送信する（Ｓ１２２）。一方、識別情報検出メモリ１３ｄに記憶された識別情報が「Ａ」でない場合には（Ｓ１２１：Ｙｅｓ）、識別情報検出メモリ１３ｄに記憶された識別情報は「Ｂ」であるので、鳴動音の出力を行う制御対象が子機１７１であると判定して、識別情報「Ｂ」と共に、切換信号を各子機へ送信する（Ｓ１２３）。
【０１８２】
なお、Ｓ１２２およびＳ１２３の処理では、切換信号を各子機へ送信しているが、ＭＦＰ１１０は、この切換信号と共に識別情報を送信している。これにより、各子機は、送信された切換信号が自機に対するものか否かを、識別情報により判別することができる。よって、各子機へ切換信号を送信しても、子機１５１および子機１７１は、他の子機への切換信号を誤って受信して、その切換情報により音出力フラグ５４ｃのオンオフが誤って切り換わることがない。従って、子機１５１および子機１７１は、各スピーカ６２から出力されるベル音（鳴動音）を、誤りなく、出力または停止させることができる。
【０１８３】
Ｓ１２０、Ｓ１２２またはＳ１２３の処理後、鳴動タイマ１３ｂを減算して（Ｓ１２４）、Ｓ１２５〜Ｓ１３０の処理に移行する。鳴動タイマ１３ｂの減算処理については、第１実施形態と同様である。なお、Ｓ１２５〜Ｓ１３０の処理は、ＭＦＰ１１０、子機１５１または子機１７１の各スピーカから鳴動回数カウンタ１３ａの更新前に出力されたベル音（鳴動音）を、鳴動回数カウンタ１３ａの更新から０．５秒後に停止させるための処理である。
【０１８４】
Ｓ１２５の処理では、鳴動回数カウンタ１３ａの更新からの経過時間が０．５秒であるか否か、即ち、鳴動タイマ１３ｂの減算開始からの経過時間が０．５秒であるか否かが判定される（Ｓ１２５）。なお、Ｓ１２５の処理では、鳴動タイマ１３ｂの減算開始からの経過時間が０．５秒未満の場合に加え、鳴動タイマ１３ｂの減算開始からの経過時間が０．５秒を超えた場合でも、鳴動タイマ１３ｂの減算開始からの経過時間が０．５秒でない、即ち、「Ｎｏ」と判定される。
【０１８５】
鳴動タイマ１３ｂの減算開始からの経過時間が０．５秒である場合には（Ｓ１２５：Ｙｅｓ）、鳴動回数カウンタ１３ａの値が更新される前に（前回の鳴動回数情報時に）出力開始されたベル音（鳴動音）の出力を停止させるタイミングであるので、ベル音を停止させる制御対象を特定するために、Ｓ１２６の処理を実行する。
【０１８６】
Ｓ１２６の処理では、選択された鳴動タイミングテーブルを参照して（テーブルナンバーメモリ１４ａに記憶されたテーブルナンバーに対応する鳴動タイミングテーブルを参照して）、現在の鳴動回数カウンタ１３ａの値から１を減算した値が示す列に、即ち、前回の鳴動回数情報の列に、鳴動音の内容が記憶されている識別情報を検出する（Ｓ１２６）。そして、識別情報が検出できたか否かが判定される（Ｓ１２７）。
【０１８７】
このＳ１２６の処理では、ＭＦＰ１１０は、図８に示すテーブルナンバー「４」の鳴動タイミングテーブルを参照する。そして、現在の鳴動回数カウンタ１３ａの値（鳴動回数情報）が「２」であれば、１を減算して、前回の鳴動回数情報「１」の列に鳴動音の内容が記憶されている識別情報「Ｓ」を検出する。また、現在の鳴動回数カウンタ１３ａの値（鳴動回数情報）が「３」であれば、１を減算して、前回の鳴動回数情報「２」の列に鳴動音の内容が記憶されている識別情報「Ａ」を検出する。この場合、Ｓ１２７の処理では、識別情報が検出できたと判定される（Ｓ１２７：Ｙｅｓ）。一方、現在の鳴動回数カウンタ１３ａの値（鳴動回数情報）が「１」であれば、１を減算すると、鳴動回数情報が「０」となり、前回の鳴動回数情報「０」の列は、テーブルナンバー「４」の鳴動タイミングテーブルに存在しない。つまり、現在の鳴動回数カウンタ１３ａの値（鳴動回数情報）が「１」である場合には、鳴動回数カウンタ１３ａの値が更新される前に（前回の鳴動回数情報時に）、ＭＦＰ１１０、子機１５１、子機１７１のいずれからもベル音（鳴動音）が出力されていない。よって、この場合には、Ｓ１２７の処理では、識別情報が検出できないと判定される（Ｓ１２７：Ｎｏ）。
【０１８８】
Ｓ１２７の処理で、識別情報が検出できた場合には（Ｓ１２７：Ｙｅｓ）、Ｓ１２６の処理で検出された識別情報は「Ｓ」であるか否かが判定される（Ｓ１２８）。Ｓ１２６の処理で検出された識別情報が「Ｓ」である場合には（Ｓ１２８：Ｙｅｓ）、鳴動回数カウンタ１３ａの値が更新される前に（前回の鳴動回数情報時に）ベル音を出力したのはＭＦＰ１１０であるので、スピーカ２４から出力されているベル音を停止する（Ｓ１２９）。その後、Ｓ１３１の処理に移行する。
【０１８９】
一方、Ｓ１２６の処理で検出された識別情報が「Ｓ」でない場合には（Ｓ１２８：Ｎｏ）、即ち、Ｓ１２６の処理で検出された識別情報が「Ａ」または「Ｂ」である場合には（Ｓ１２８：Ｎｏ）、鳴動回数カウンタ１３ａの値が更新される前に（前回の鳴動回数情報時に）ベル音を出力したのは子機１５１または子機１７１であるので、Ｓ１２６の処理で検出した識別情報と共に、切換信号を各子機へ送信する（Ｓ１３０）。これにより、鳴動回数カウンタ１３ａの値が更新される前に（前回の鳴動回数情報時に）ベル音を出力した子機１５１または子機１７１のいずれかは、スピーカ６２から出力されているベル音を停止する。なお、Ｓ１３０の処理後、Ｓ１３１の処理へ移行する。
【０１９０】
なお、Ｓ１２５の処理で、鳴動タイマ１３ｂの減算開始からの経過時間が０．５秒でない場合（Ｓ１２５：Ｎｏ）、およびＳ１２７の処理で、識別情報が検出されない場合には（Ｓ１２７：Ｎｏ）、ベル音（鳴動音）を停止する必要がないので、Ｓ１３１の処理に移行する。
【０１９１】
なお、Ｓ１３１〜Ｓ１４１の処理については、第１実施形態のＭＦＰ１０におけるメイン処理内のＳ１０〜Ｓ２０の処理と同一の処理であるので、その説明を省略する。
【０１９２】
次に、図１０を参照して、子機１５１のメイン処理について説明する。図１０は、子機１５１のメイン処理を示したフローチャートである。なお、子機１７１のメイン処理については、子機１５１のメイン処理と同一であるので、その説明を省略する。
【０１９３】
このメイン処理は、子機１５１の電源オン中、繰り返し実行される処理である。メイン処理では、まず、Ｓ１５１およびＳ１５２の処理が実行される。なお、Ｓ１５１およびＳ１５２の処理については、第１実施形態における子機５１のメイン処理内のＳ５１およびＳ５２の処理と同一の処理であるので、その説明を省略する。ただし、以後の説明については、発明の理解を容易にするために、ＭＦＰ１１０の鳴動タイミングテーブル選択処理（Ｓ１１１）の処理（図９参照）で、図８に示すテーブルナンバー「４」の鳴動タイミングテーブルが選択されたものとして説明を行う。
【０１９４】
Ｓ１５２の処理後、テーブルナンバーメモリ５５ａに記憶されたテーブルナンバーに対応する音情報を音情報メモリ５３ｂから取得し、その取得した音情報に基づいて、スピーカ６２から出力する鳴動音を設定する（Ｓ１５３）。なお、Ｓ１５３の処理では、テーブルナンバーメモリ５５ａにテーブルナンバー「４」が記憶されているので、スピーカ６２から出力される鳴動音をベル音に設定する。
【０１９５】
その後、音出力フラグ５４ｄをオフする（Ｓ１５４）。これにより、メイン処理開始後の初期設定が完了する。その後、ＭＦＰ１１０から送信される識別情報を受信したか否かが判定される（Ｓ１５５）。識別情報を受信していない場合には（Ｓ１５５：Ｎｏ）、Ｓ１５５の処理を繰り返し実行する。一方、識別情報を受信した場合には（Ｓ１５５：Ｙｅｓ）、切換信号を受信したか否かが判定される（Ｓ１５６）。切換信号を受信していない場合には（Ｓ１５６：Ｎｏ）、Ｓ１５６の処理が繰り返し実行される。一方、切換信号を受信した場合には（Ｓ１５６：Ｙｅｓ）、受信した識別情報が、識別情報メモリ５４ｃに記憶された識別情報と同一か否かが判定される（Ｓ１５７）。受信した識別情報が、識別情報メモリ５４ｃに記憶された識別情報と同一である場合には（Ｓ１５７：Ｙｅｓ）、その受信した識別情報は子機１５１に対する識別情報であるので、Ｓ１５６の処理で受信した切換信号を認証し、音出力フラグ５４ｄを切り換える処理であるＳ１５８〜Ｓ１６０の処理へ移行する。
【０１９６】
Ｓ１５８の処理では、音出力フラグ５４ｄが現在、オンであるか否かが判定される（Ｓ１５８）。音出力フラグ５４ｄが現在、オンである場合には（Ｓ１５８：Ｙｅｓ）、音出力フラグ５４ｄをオフする（Ｓ１５９）。一方、音出力フラグ５４ｄが現在、オフである場合には（Ｓ１５８：Ｎｏ）、音出力フラグ５４ｄをオンする（Ｓ１６０）。
【０１９７】
一方、受信した識別情報が、識別情報メモリ５４ｃに記憶された識別情報と同一でない場合には（Ｓ１５７：Ｎｏ）、受信した識別情報は、子機１５１に対して送信された識別情報ではないので、Ｓ１５６の処理で受信した切換信号を認証しない。これにより、Ｓ１５８〜Ｓ１６０の処理がスキップされて、Ｓ１６１の処理へ移行する。
【０１９８】
このように、子機１５１は、ＭＦＰ１１０から送信される識別情報が識別情報メモリ５４ｃに記憶された識別情報と同一か否かを判別することで、その識別情報と共に送信される切換情報が自機に対するものか否かを判別することができる。よって、子機１５１は、他の子機への切換情報を誤って受信して、その切換情報により音出力フラグ５４ｃのオンオフが誤って切り換わることを防止することができる。
【０１９９】
ここで、Ｓ１５７の処理において、受信した識別情報が、識別情報メモリ５４ｃに記憶された識別情報と同一でないと判定された場合に（Ｓ１５７：Ｎｏ）、Ｓ１６１の処理へ移行する理由について説明する。受信した識別情報が、識別情報メモリ５４ｃに記憶された識別情報と同一でないと判定された場合には（Ｓ１５７：Ｎｏ）、他の子機への識別情報を受信したことを示しており、これは、ＭＦＰ１１０により呼出信号が検出されたことを示している。よって、Ｓ１６１以降の処理で、その呼出信号に応答する応答信号の検出の有無を判定することに加え、応答信号の受信の有無を判定するために、識別情報メモリ５４ｃに記憶された識別情報と同一でないと判定された場合には（Ｓ１５７：Ｎｏ）、Ｓ１６１の処理へ移行するのである。
【０２００】
Ｓ１６１の処理では、音出力フラグ５４ｄがオンか否かが判定される（Ｓ１６１）。音出力フラグ５４ｄがオンであれば（Ｓ１６１：Ｙｅｓ）、スピーカ６２から鳴動音を出力する（Ｓ１６２）。一方、音出力フラグ５４ｄがオフであれば（Ｓ１６１：Ｎｏ）、スピーカ６２から出力されている鳴動音を停止する（Ｓ１６３）。
【０２０１】
Ｓ１６２またはＳ１６３の処理後、相手電話機からの呼出に応答する応答信号が操作キー５６の押下等により検出されたか否かが判定される（Ｓ１６４）。応答信号が検出されない場合には（Ｓ１６４：Ｎｏ）、ＭＦＰ１１０または子機１７１から応答信号を受信したか否かが判定される（Ｓ１６５）。ＭＦＰ１１０および子機１７１の何れかから応答信号を受信していない場合には（Ｓ１６５：Ｎｏ）、新たに識別情報を受信したか否かが判定される（Ｓ１６６）。
【０２０２】
新たに識別情報を受信していない場合には（Ｓ１６６：Ｎｏ）、Ｓ１６１の処理へ移行する。その後、Ｓ１６１以降の処理が繰り返し実行される。一方、新たに識別情報を受信した場合には（Ｓ１６６：Ｙｅｓ）、Ｓ１５６の処理へ移行する。その後、Ｓ１５６以降の処理が繰り返し実行される。
【０２０３】
なお、Ｓ１６４の処理で、応答信号を検出した場合には（Ｓ１６４：Ｙｅｓ）、Ｓ１６７の処理へ移行する。また、Ｓ１６５の処理で、ＭＦＰ１１０または他の子機からの応答信号を受信した場合には（Ｓ１６５：Ｙｅｓ）、Ｓ１７２の処理へ移行する。
【０２０４】
Ｓ１６７〜Ｓ１７３の処理については、第１実施形態における子機５１のメイン処理内でのＳ６２〜Ｓ６８の処理と同一の処理であるので、その説明を省略する。
【０２０５】
上述した通り、第２実施形態におけるデジタルコードレス電話システム１００によれば、相手電話機からの呼出信号がＮＣＵ２８により検出されると、ＭＦＰ１１０は、鳴動回数カウンタ１３ａの値に応じて（鳴動回数情報に応じて）、ＭＦＰ１１０による鳴動音の出力または停止を制御すると共に、子機１５１（子機１７１）へ、鳴動音の出力または停止を切り換える切換信号を繰り返し送信して、子機１５１（子機１７１）を制御する。つまり、ＭＦＰ１１０は、ＭＦＰ１１０による鳴動音の出力または停止に加え、子機１５１（子機１７１）による鳴動音の出力または停止も制御する。これにより、第２実施形態におけるデジタルコードレス電話システム１００によれば、第１実施形態のデジタルコードレス電話システム１の構成の場合と比較して、具体的には、各子機の鳴動音の停止を各子機に設けられた鳴動タイマ５４ｂにより制御する場合と比較して、ＭＦＰ１１０による鳴動音の出力または停止と、子機１５１（子機１７１）による鳴動音の出力または停止とが非同期となることを（ＭＦＰ１１０による鳴動音の出力または停止と、子機１５１（子機１７１）による鳴動音の出力または停止とが時間経過と共にずれていくことを）防止することができる。
【０２０６】
また、第２実施形態におけるデジタルコードレス電話システム１００によれば、ＭＦＰ１１０、子機１５１および子機１７１から出力される鳴動音が単独で出力される期間を設けている。よって、デジタルコードレス電話システム１００の使用者が、ＭＦＰ１１０の鳴動音のみならず、子機１５１および子機１７１の鳴動音が聞こえる位置に居る場合であっても、各鳴動音による合成音が常時にわたって形成されることがないので、使用者に与える耳障り感を低減することができる。
【０２０７】
また、第２実施形態におけるデジタルコードレス電話システム１００によれば、子機１５１および子機１７１から出力される鳴動音が単独で出力される期間を設けている。よって、本来設置されるべき場所に子機１５１や子機１７１が置いてない場合に各鳴動音が出力開始されたとしても、単独で出力される鳴動音を頼りに、デジタルコードレス電話システム１００の使用者は、子機１５１や子機１７１が現在置いてある場所を容易に特定することができる。
【０２０８】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０２０９】
上記の各実施形態においては、鳴動タイミングテーブルメモリ５３ａや音情報メモリ５３ｂを各子機に設け、この各メモリによって、各スピーカ６２から出力する鳴動音を設定したが、これに限られるものではない。即ち、ＭＦＰ１０（ＭＦＰ１１０）は、鳴動信号や切換信号に、各スピーカ６２から出力する鳴動音の情報を付加して各子機に送信しても良い。そして、各子機は、受信した鳴動音の情報を使用して各スピーカ６２から鳴動音を出力する構成とすれば良い。この構成によれば、各子機に設けられた鳴動タイミングテーブルメモリ５３ａや音情報メモリ５３ｂを不要にすることができる。
【０２１０】
また、各実施形態においては、相手電話機を電話回線網８０に接続された電話装置としていたが、これに限られるものではない。即ち、相手電話機は、インターネット回線網に接続されたインターネット電話装置であっても良い。この場合には、ＭＦＰ１０およびＭＦＰ１１０にインターネット回線網を介して着信信号を受信するインターネットインターフェイスを設ければ良い。
【０２１１】
また、各実施形態においては、デジタルコードレス電話システム１（デジタルコードレス電話システム１００）に設けられる子機が２台の場合について説明を行ったが、デジタルコードレス電話システム１（デジタルコードレス電話システム１００）に設けられる子機は、１台であっても、或いは３台や４台であっても良い。このように、子機の台数が使用するデジタルコードレス電話システム１（デジタルコードレス電話システム１００）によって変わる場合には、使用する子機の台数に応じて、鳴動タイミングテーブルに記憶させる識別情報を増加させると共に、増加した識別情報に応じて鳴動音の内容を設定すれば良い。
【０２１２】
また、各実施形態においては、ＭＦＰ１０（ＭＦＰ１１０）の鳴動タイミングテーブル選択処理（Ｓ１，Ｓ１１１）によって、使用する鳴動タイミングテーブルを選択したが、これに限られるものではない。即ち、子機５１や子機７１（子機１５１や子機１７１）に、鳴動タイミングテーブルを選択する鳴動タイミングテーブル選択処理（Ｓ１，Ｓ１１１）を設けて、子機５１や子機７１（子機１５１や子機１７１）によって、鳴動タイミングテーブル選択処理（Ｓ１，Ｓ１１１）を実行して、使用する鳴動タイミングテーブルを選択する構成としても良い。
【０２１３】
また、第１実施形態においては、ＭＦＰ１０から送信された鳴動信号を子機５１（子機７１）が受信し損ねた場合は、鳴動信号を受信し損ねた子機５１（子機７１）は鳴動音の出力ができない構成であったが、これに限られるものではない。即ち、ＭＦＰ１０を、鳴動信号の送信後、子機５１（子機７１）から鳴動信号を受信したことを示す受信信号を受信して、子機５１（子機７１）による鳴動信号の受信が行われたか否かを判定する構成にする。そして、ＭＦＰ１０を、子機５１（子機７１）からの受信信号が所定時間内に受信できない場合には、子機５１（子機７１）が鳴動信号を受信し損ねたと判定して、子機５１（子機７１）が出力すべき鳴動音を、子機５１（子機７１）の代わりに出力する構成としても良い。この構成により、ＭＦＰ１０は、各鳴動音が輪唱や一連のメロディを形成することなく出力されることを防止することができる。
【０２１４】
また、第１実施形態においては、ＭＦＰ１０から各子機５１，７１へ鳴動信号、鳴動回数情報を送信して、各子機５１，７１による鳴動音の出力を制御したが、これに限られるものではない。即ち、ＭＦＰ１０が有する、図５のフローチャートを実現するプログラムを含むＲＯＭ１２の内容およびＲＡＭ１３の内容（鳴動回数カウンタ１３ａ〜識別情報メモリ１３ｃ）と、子機５１（子機７１）が有する、図６のフローチャートを実現するプログラムを含むＲＯＭ５３の内容およびＲＡＭ５４の内容（鳴動回数情報受信カウンタ５４ａ〜識別情報メモリ５４ｃ）とを、ＭＦＰ１０と子機５１（子機７１）とで入れ換えても良い。つまり、ＭＦＰ１０の動作機能と子機５１（子機７１）の動作機能とを入れ換えても良い。これは、第２実施形態においても、同様に適用可能である。なお、この構成の場合には、ＭＦＰ１０のＮＣＵ２８が相手電話機からの着信信号を検出すると、その検出を示す検出信号を無線通信制御回路２２から子機５１（子機７１）へ送信する。そして、子機５１（子機７１）が検出信号を受信すると、図５に示すフローチャートを実行する構成とすれば良い。
【０２１５】
また、第１実施形態においては、ＭＦＰ１０から各子機５１，７１へ鳴動信号、鳴動回数情報を送信して、各子機５１，７１による鳴動音の出力を制御したが、これに限られるものではない。即ち、ＭＦＰ１０が有する、図５のフローチャートを実現するプログラムを含むＲＯＭ１２の内容およびＲＡＭ１３の内容（鳴動回数カウンタ１３ａ〜識別情報メモリ１３ｃ）を、子機５１（子機７１）も有すると共に、子機５１（子機７１）が有する、図６のフローチャートを実現するプログラムを含むＲＯＭ５３の内容およびＲＡＭ５４の内容（鳴動回数情報受信カウンタ５４ａ〜識別情報メモリ５４ｃ）を、ＭＦＰ１０も有する構成としても良い。この構成の場合には、ＭＦＰ１０に加え、子機５１（子機７１）も、鳴動信号、鳴動回数情報を送信することができる。これは、第２実施形態においても、同様に適用可能である。なお、子機５１（子機７１）から鳴動信号、鳴動回数情報を送信する場合には、次の構成とすれば良い。まず、ＭＦＰ１０のＮＣＵ２８が相手電話機からの着信信号を検出すると、その検出を示す検出信号を無線通信制御回路２２から子機５１（子機７１）へ送信する。そして、子機５１（子機７１）が検出信号を受信すると、図５に示すフローチャートを実行する構成とすれば良い。
【０２１６】
また、第１実施形態においては、例えば、図２に示す通り、ＭＦＰ１０、子機５１または子機７１のいずれかの鳴動音が停止されると、即座に、ＭＦＰ１０、子機５１または子機７１のいずれかの鳴動音の出力が行われる構成としたが、これに限られるものではない。即ち、ＭＦＰ１０、子機５１または子機７１のいずれかの鳴動音が停止されると、所定時間を空けて（例えば、０．５秒を空けて）、ＭＦＰ１０、子機５１または子機７１のいずれかの鳴動音の出力が行われる構成としても良い。よって、鳴動タイマ１３ｂ，５４ｂに設定される値も２秒に限定されるものではなく、鳴動音（メロディ）の種類に応じて、あるいは使用者の好みに応じて変更することが可能である。
【０２１７】
また、第２実施形態においては、ＭＦＰ１１０、子機１５１および子機１７１から出力される鳴動音は、図８に示す通り、出力開始から２．５秒が経過すると、出力音量をゼロにしたが、これに限られるものではない。即ち、ＭＦＰ１１０、子機１５１および子機１７１から出力される鳴動音の出力音量を、出力開始から２．０秒後に減少を開始し、出力開始から２．５秒となったときにゼロとなる制御としても良い。更に、ＭＦＰ１１０、子機１５１および子機１７１から出力される鳴動音の出力音量を、出力開始から増加を開始し、出力開始から０．５秒となったときに、所定の音量となる制御としても良い。この場合には、図８に示すテーブルナンバー「４」の鳴動タイミングテーブルを使用した場合と比較して、各鳴動音による合成音の音量を抑制することができる。従って、デジタルコードレス電話システム１００の使用者に与える耳障り感をより低減することができる。
【０２１８】
また、第２実施形態においては、相手電話機からの呼出信号がＮＣＵ２８により検出されると、ＭＦＰ１１０は、鳴動回数カウンタ１３ａの値に応じて、子機１５１および子機１７１の各々へ、別々のタイミングで、鳴動音の出力および停止を切り換える切換信号を繰り返し送信して、子機１５１および子機１７１を制御したが、これに限られるものではない。即ち、ＭＦＰ１１０は、子機１５１および子機１７１の各々へ同一のタイミングで切換信号を繰り返し送信して、子機１５１および子機１７１を制御しても良い。この場合には、各子機が鳴動音の出力および停止の切り換えを待機する待機信号を、選択された鳴動タイミングテーブルに応じて設定して、切換信号に加えて送信すれば良い。これにより、ＭＦＰ１１０は、子機１５１および子機１７１の各々へ同一のタイミングで切換信号を送信可能になり、ＭＦＰ１１０の遊休時間を確保することができる。
【０２１９】
また、第２実施形態においては、図８に示すテーブルナンバー「４」を選択して、各スピーカから出力される鳴動音がベル音の場合について説明を行ったが、これに限られるものではない。即ち、第２実施形態のデジタルコードレス電話システム１００は、各スピーカから出力される鳴動音をベル音に代えて、例えば、「森のくまさん」の各小節を出力する構成としても良い。この構成の場合には、まず、図８に示すテーブルナンバー「４」に記憶された鳴動音の内容であるベル音を、図２や図３に示す楽曲名「森のくまさん」の各小節に変更して、これをテーブルナンバー「５」やテーブルナンバー「６」として、鳴動タイミングテーブル１２ａに記憶させる。そして、ＭＦＰ１１０は、切換信号と共に、鳴動回数情報を、子機１５１（子機１７１）へ送信する構成とする。更に、子機１５１（子機１７１）は、子機１５１（子機１７１）のＲＯＭ５３に設けられた音情報メモリ５３ｂに代えて、子機５１（子機７１）のＲＯＭ５３に設けられた鳴動タイミングテーブルメモリ５３ａを有する構成にすれば良い。
【図面の簡単な説明】
【０２２０】
【図１】第１実施形態におけるデジタルコードレス電話システムの電気的構成を示すブロック図である。
【図２】（ａ）は、テーブルナンバー「１」の鳴動タイミングテーブルを模式的に示した図であり、（ｂ）は、テーブルナンバー「１」の鳴動タイミングテーブルに基づいて実行される、各鳴動音の出力タイミングを示したタイミングチャートである。
【図３】（ａ）は、テーブルナンバー「２」の鳴動タイミングテーブルを模式的に示した図であり、（ｂ）は、テーブルナンバー「２」の鳴動タイミングテーブルに基づいて実行される、各鳴動音の出力タイミングを示したタイミングチャートである。
【図４】（ａ）は、テーブルナンバー「３」の鳴動タイミングテーブルを模式的に示した図であり、（ｂ）は、テーブルナンバー「３」の鳴動タイミングテーブルに基づいて実行される、各鳴動音の出力タイミングを示したタイミングチャートである。
【図５】ＭＦＰのメイン処理を示したフローチャートである。
【図６】子機のメイン処理を示したフローチャートである。
【図７】第２実施形態におけるデジタルコードレス電話システムの電気的構成を示すブロック図である。
【図８】（ａ）は、テーブルナンバー「４」の鳴動タイミングテーブルを模式的に示した図であり、（ｂ）は、テーブルナンバー「４」の鳴動タイミングテーブルに基づいて実行される、各鳴動音の出力タイミングを示したタイミングチャートである。
【図９】ＭＦＰのメイン処理を示したフローチャートである。
【図１０】子機のメイン処理を示したフローチャートである。
【符号の説明】
【０２２１】
１，１００      デジタルコードレス電話システム（コードレス通信システムの一例）
１０，１１０    ＭＦＰ（第１通信装置の一例）
１２ａ          鳴動タイミングテーブルメモリ（分割楽曲記憶手段の一例、第１分割楽曲記憶手段の一例、第１切換パターン設定手段の一部の一例、第１切換パターン設定手段の一例、第２切換パターン設定手段の一例）
１３ａ          鳴動回数カウンタ（更新記憶手段の一部の一例、第１計時手段の一部の一例）
１３ｂ          鳴動タイマ（第１計時手段の一部の一例）
２２            無線通信制御回路（第１無線通信手段の一例）
２８            ＮＣＵ（検出手段の一例）
５１，７１，１５１，１７１    子機（第２通信装置の一例）
５３ａ          鳴動タイミングテーブルメモリ（分割楽曲記憶手段の一例、第２分割楽曲記憶手段の一例、第２切換パターン設定手段の一部の一例）
５４ａ          鳴動回数情報受信カウンタ（第２計時手段の一部の一例）
５４ｂ          鳴動タイマ（第２計時手段の一部の一例）
５４ｄ          音出力フラグ（第２切換実行手段の一部の一例）
６０            無線通信制御回路（第２無線通信手段の一例）
Ｓ１            ＭＦＰのメイン処理（楽曲設定手段の一部の一例）
Ｓ２            ＭＦＰのメイン処理（楽曲設定手段の一部の一例、第１切換パターン設定手段の一部の一例）
Ｓ７            ＭＦＰのメイン処理（送信制御手段の一部の一例、）
Ｓ８            ＭＦＰのメイン処理（第１鳴動音出力手段の一部の一例、制御手段の一部の一例、分割楽曲実行手段の一部の一例、第１分割楽曲実行手段の一部の一例、第１切換実行手段の一例）
Ｓ５２          子機のメイン処理（楽曲設定手段の一部の一例、第２切換パターン設定手段の一部の一例）
Ｓ５７          子機のメイン処理（第２鳴動音出力手段の一部の一例、制御手段の一部の一例、分割楽曲実行手段の一部の一例、第２分割楽曲実行手段の一部の一例、子機側制御手段の一部の一例、第２切換実行手段の一例）
Ｓ１１１        ＭＦＰのメイン処理（楽曲設定手段の一部の一例）
Ｓ１１２        ＭＦＰのメイン処理（楽曲設定手段の一部の一例、第１切換パターン設定手段の一部の一例、第２切換パターン設定手段の一部の一例）
Ｓ１１８        ＭＦＰのメイン処理（送信制御手段の一部の一例、第１分割楽曲実行手段の一部の一例、第１切換実行手段の一部の一例）
Ｓ１２０，Ｓ１２９      ＭＦＰのメイン処理（第１鳴動音出力手段の一部の一例、制御手段の一部の一例、分割楽曲実行手段の一部の一例、第１分割楽曲実行手段の一部の一例、第１切換実行手段の一部の一例）
Ｓ１２２，Ｓ１２３      ＭＦＰのメイン処理（送信制御手段の一部の一例、制御手段の一部の一例）
Ｓ１３０        ＭＦＰのメイン処理（送信制御手段の一部の一例、制御手段の一部の一例）
Ｓ１５２        子機のメイン処理（楽曲設定手段の一部の一例、第２切換パターン設定手段の一部の一例）
Ｓ１５３        子機のメイン処理（第２分割楽曲実行手段の一部の一例）
Ｓ１５６，Ｓ１５７      子機のメイン処理（第２鳴動音出力手段の一部の一例、制御手段の一部の一例、分割楽曲実行手段の一部の一例、第２分割楽曲実行手段の一部の一例、子機側制御手段の一部の一例）
Ｓ１６０の「Ｙｅｓ」    子機のメイン処理（認証手段の一例）
Ｓ１６２，Ｓ１６３      子機のメイン処理（第２切換実行手段の一部の一例）
【図１】
2010016421.tif 000003
【図２】
2010016421.tif 000004
【図３】
2010016421.tif 000005
【図４】
2010016421.tif 000006
【図５】
2010016421.tif 000007
【図６】
2010016421.tif 000008
【図７】
2010016421.tif 000009
【図８】
2010016421.tif 000010
【図９】
2010016421.tif 000011
【図１０】
2010016421.tif 000012